(57)【特許請求の範囲】
【請求項１】
画像情報保持物の平面画像情報からバリフォーカルミラーと同じ形状を成す場合の「画像の像形状情報」の画像情報を除いた「画像の像形状画像情報種」において、
像形状の１部、多部、若しくは、全部を「縦」、若しくは、「横に」各々圧縮した画像の像形状画像情報、
像形状の１部、多部、若しくは、全部を「縦」、若しくは、「横に」各々引き伸ばされた画像の像形状画像情報、
又は、原寸大の画像の像形状画像情報、
の各それぞれの組み合わせにより、
「横の長さの比率」が１６７：１００、若しくは、１００：６０までの許容範囲となるような、「大形像系画像情報」と「小形像系画像情報」に２分した同種異系同士の情報比較で
「差異を持ち画像が融合する画像情報信号」、若しくは、「同差異を持ち画像が融合する画像情報光」
を備えたことを特徴とする立体画像情報保持物。
【請求項２】
画像情報保持物が、画像情報表示、画像情報記録、画像情報記憶、画像情報記録再生、画像情報記憶再生、画像情報再生、画像情報加工、又は、画像情報出力の内１つ以上の画像情報処理を機能できることを特徴とする請求項１記載の立体画像情報保持物。
【請求項３】
画像情報保持物の平面画像情報を、各種計測機器の平面表示面、家庭用電気・音響機器・通信機器・医療機器・オフィスオートメーション機器・パーソナルオートメーション機器・ファクトリィーオートメーション機器・各種端末機の平面表示面から画像情報表示することを特徴とする請求項１記載の立体画像情報保持物。
【請求項４】
２分した同種異系同士の情報が１秒間約３０駒以上で、残像による画像融合効果が有効な時間内の時間差を持たして時分割表示することを特徴とする請求項１記載の立体画像情報保持物。
【請求項５】
差異を持ち画像が融合する画像情報信号、及び、同差異を持ち画像が融合する画像情報光が、該差異を増減出来、又は、該差異をゼロにすることが出来る差異を持つ画像情報信号、及び、画像情報光であることを特徴とする請求項１記載の立体画像情報保持物。
【請求項６】
画像処理装置の平面画像情報からバリフォーカルミラーと同じ形状を成す場合の「画像の像形状情報」の画像情報を除いた「画像の像形状画像情報種」において、
像形状の１部、多部、若しくは、全部を「縦」、若しくは、「横に」各々圧縮した画像の像形状画像情報、
像形状の１部、多部、若しくは、全部を「縦」、若しくは、「横に」各々引き伸ばされた画像の像形状画像情報、
又は、原寸大の画像の像形状画像情報、
の各それぞれの組み合わせにより、
「横の長さの比率」が１６７：１００、若しくは、１００：６０までの許容範囲となるような、「大形像系画像情報」と「小形像系画像情報」に２分した同種異系同士の情報比較で
「差異を持ち画像が融合する画像情報信号」、若しくは、「同差異を持ち画像が融合する画像情報光」
を備えたことを特徴とする立体画像処理装置。
【請求項７】
画像処理装置が、画像情報表示、画像情報記録、画像情報記憶、画像情報記録再生、画像情報記憶再生、画像情報再生、画像情報加工、又は、画像情報出力の内１つ以上の画像情報処理を機能できることを特徴とする請求項６記載の立体画像処理装置。
【請求項８】
画像処理装置の平面画像情報が、紙・鏡・液晶・ガラス・レンズ・プラスチック・フィルム・テープ・放電灯・蛍光管・蛍光体・発光ダイオード・光ファイバー・レーザー光線・エレクトロルミネッセンス・プラズマ・セラミック薄膜・アモルファスシリコン・電気・電圧・電界・電子・電磁波・電波・放電・磁気・熱・紫外線・粒子線・霧・蒸気・水・氷・雪・雲・泡・海水の何れかを使用し画像情報処理表示部に画像情報表示することを特徴とする請求項６記載の立体画像処理装置。
【請求項９】
２分した同種異系同士の情報が１秒間約３０駒以上で、残像による画像融合効果が有効な時間内の時間差を持たして時分割表示することを特徴とする請求項６記載の立体画像処理装置。
【請求項１０】
差異を持ち画像が融合する画像情報信号、及び、同差異を持ち画像が融合する画像情報光が、該差異を増減出来、又は、該差異をゼロにすることが出来る差異を持つ画像情報信号、及び、画像情報光であることを特徴とする請求項６記載の立体画像処理装置。
【請求項１１】
画像処理装置の平面画像情報からバリフォーカルミラーと同じ形状を成す場合の「画像の像形状情報」の画像情報を除いた「画像の像形状画像情報種」において、
像形状の１部、多部、若しくは、全部を「縦」、若しくは、「横に」各々圧縮した画像の像形状画像情報、
像形状の１部、多部、若しくは、全部を「縦」、若しくは、「横に」各々引き伸ばされた画像の像形状画像情報、
又は、原寸大の画像の像形状画像情報、
の各それぞれの組み合わせにより、
「横の長さの比率」が１６７：１００、若しくは、１００：６０までの許容範囲となるような、「大形像系画像情報」と「小形像系画像情報」に２分した同種異系同士の情報比較で
「差異を持ち画像が融合する画像情報信号」、若しくは、「同差異を持ち画像が融合する画像情報光」
を備えたことを特徴とする画像立体処理装置。
【請求項１２】
画像処理装置が、画像情報表示、画像情報記録、画像情報記憶、画像情報記録再生、画像情報記憶再生、画像情報再生、画像情報加工、又は、画像情報出力の内１つ以上の画像情報処理を機能できることを特徴とする請求項１１記載の画像立体処理装置。
【請求項１３】
画像処理装置の平面画像情報が、紙・鏡・液晶・ガラス・レンズ・プラスチック・フィルム・テープ・放電灯・蛍光管・蛍光体・発光ダイオード・光ファイバー・レーザー光線・エレクトロルミネッセンス・プラズマ・セラミック薄膜・アモルファスシリコン・電気・電圧・電界・電子・電磁波・電波・放電・磁気・熱・紫外線・粒子線・霧・蒸気・水・氷・雪・雲・泡・海水の何れかを使用し画像情報処理表示部に画像情報表示することを特徴とする請求項１１記載の画像立体処理装置。
【請求項１４】
２分した同種異系同士の情報が１秒間約３０駒以上で、残像による画像融合効果が有効な時間内の時間差を持たして時分割表示することを特徴とする請求項１１記載の画像立体処理装置。
【請求項１５】
差異を持ち画像が融合する画像情報信号、及び、同差異を持ち画像が融合する画像情報光が、該差異を増減出来、又は、該差異をゼロにすることが出来る差異を持つ画像情報信号、及び、画像情報光であることを特徴とする請求項１１記載の画像立体処理装置。
【発明の詳細な説明】
【０００１】
『用語』の説明。
【０００２】
☆『画像情報』とは、平面物、立体物、及び、想い描いた画像から得られる「画像」を指し、「平面画像情報」と「立体画像情報」を含んでいる。
【０００３】
☆『画像の像形状情報』とは、「平面画像の形状」の「大きさの情報」を指す。
【０００４】
☆『画像の像形状画像情報』とは、文字から一般的に解釈出来るように『画像の像形状情報』の「画像情報」を指す。
【０００５】
☆『画像の像形状画像情報種』とは、『画像の像形状画像情報』を『種』とし、『大形像系画像情報』と『小形像系画像情報』の「２系」から構成される。
【０００６】
☆『異系』とは『大形像系画像情報と小形像系画像情報』の「２系」を指す。
【０００７】
☆『大形像系画像情報』とは、『画像の像形状画像情報種』で『小形像系画像情報』より横に大きい形状の「平面画像情報」を指す。
【０００８】
☆『小形像系画像情報』とは、『画像の像形状画像情報種』で『大形像系画像情報』より横に小さい形状の「平面画像情報」を指す。
【０００９】
☆『融合』とは、一般的には、溶け合って１つになる現象を指し、本発明の融合では、「２つの平面画像情報」が溶け合った後、脳の視中枢内で「１つの立体視できる画像」（＝立体画像）として現われる。
【００１０】
☆『両形融合』とは、『画像の像形状画像情報種』の『大形像系画像情報』と『小形像系画像情報』の『同種異系』の「２つの平面画像情報」同士が『融合』した後、脳の視中枢内で「１つの立体視できる画像」（＝立体画像）として現われることを指す。
【００１１】
☆『差異』とは、『大形像系画像情報と小形像系画像情報』の横の長さ比較で「差」があることを指す。「差異＝ゼロ」であれば、『融合』は起こらず、平面画像情報になる。
【００１２】
☆『光』とは、本発明では、一般的解釈としての連続した光を指す。
【００１３】
☆『信号』とは、本発明では、一般的解釈と同じく非連続したもので、電気、電子、放電、電圧、電磁、粒子、映像、及び、画像の各信号がある。
【００１４】
☆『画像情報信号、画像情報光』とは、本明細書の用語に出てくる『画像情報保持物』、並びに『画像処理装置』の具体例、全てに、共通した『画像情報』が、『信号』、もしくは、『光』で構成され、『画像情報』の具体的伝達手段をなしている。
【００１５】
☆『画像情報保持物』とは、文字から一般的に解釈出来るように『画像情報』を「保ち持つ物」と言うことであり、『画像情報』が、「平面画像情報」と「立体画像情報」を含んでいるため、
『画像情報保持物』も、＜『平面画像情報保持物』と『立体画像情報保持物』を含んでいる。＞
【００１６】
☆『画像保持物』とは「画像」、即ち、『画像情報』を備えているため『画像情報保持物』と同義である。
【００１７】
☆『平面画像情報保持物』とは、文字から一般的に解釈出来るように、「平面画像情報」を「保ち持つ物」と言う意味である。
【００１８】
又、平面画像・平面写真・平面印刷・平面表示・平面記録・平面記録再生・平面記憶・平面記憶再生・平面再生・平面加工・平面出力を必要とする「物」を指す。
【００１９】
具体的には、
家庭用、又は、業務用として「平面写真、平面写真集、平面航空写真、平面芸術写真集、平面カタログ、平面通販カタログ、平面チラシ、平面パンフレット、平面新聞、平面週刊誌、平面ガイド集、平面カラー図鑑、平面ポスター、平面カレンダー、平面雑誌、平面書籍、平面地図、立体図法平面図面、立体図法平面設計図、平面住宅・ビルディング完成図、平面写真アルバム、平面スライド写真、平面絵本、平面テレビジョンソフトウェア、平面パーソナルコンピューターソフトウェア、平面文字放送ソフトウェア、コンパクトディスク・レーザーディスク・磁気・光磁気の各平面ディスクソフトウェア、平面ビデオテープソフトウェア、平面ディジタルテープソフトウェア、平面映画ソフトウェア、平面テレビゲームソフトウェア、平面映画フィルム、平面マイクロフィルム、平面Ｘ線写真、平面コンパクトディスクリードオンリィーメモリーソフトウェア、平面コンピューターグラフィクスソフトウェア、平面絵画、平面版画、平面挿絵、平面壁画、平面看板、平面回転看板、各種計測機器の平面表示面、家庭用電機・音響機器・通信機器・医療機器・オフィスオートメーション機器・パーソナルオートメイション機器・ファクトリィオートメイション機器・各種端末機の平面表示面、立体図法使用の平面文字・数字・記号・符号・模様、その他の平面画像情報保持物」が、
挙げられる。
【００２０】
☆『立体画像情報保持物』とは、文字から一般的に解釈出来るように、「立体画像情報」を「保ち持つ物」と言う意味である。
【００２１】
又、立体画像・立体写真・立体印刷・立体表示・立体記録・立体記録再生・立体記憶・立体記憶再生・立体再生・立体加工・立体出力を必要とする「物」を指す。
【００２２】
特に本発明書では、「平面画像情報」を「立体画像情報」に『処理』する技術の開示を最重要課題としているため
『立体画像情報保持物』とは、＜『平面画像情報保持物』の「平面画像情報」を「立体画像情報」に『処理』された「物」＞を指す。
【００２３】
具体的には、前記『平面画像情報保持物』の「平面画像情報」を「立体画像情報」に置き換えた「物」といえる。
【００２４】
☆『処理』とは、『画像情報』を表示、同記録、同記憶、同記録再生、同記憶再生、同再生、同加工、又は、同出力の内１つ以上の画像情報への行為を指す。
【００２５】
☆『画像処理装置』とは、文字から一般的に解釈出来るように「画像」即ち、『画像情報』を『処理』する「装置」と言うことである。
【００２６】
本発明における『画像処理装置』とは、「平面画像情報」と「立体画像情報」、何れか、からなる『画像情報』を『処理』する「装置」を指し示す。
【００２７】
即ち＜『平面画像処理装置』、『立体画像処理装置』、『画像立体処理装置』＞を指す。
【００２８】
☆『平面画像処理装置』とは、文字から一般的に解釈出来るように、「平面画像」、即ち、「平面画像情報」を『処理』する「装置」と言う意味である。
【００２９】
具体的には、
「紙・鏡・液晶・ガラス・レンズ・プラスチック・フィルム・テープ・放電灯・蛍光管・蛍光体・発光ダイオード・光ファイバー・レーザー光線・エレクトロルミネッセンス・プラズマ・セラミック薄膜・アモルファスシリコン・電気・電圧・電界・電子・電磁波・電波・放電・磁気・熱・紫外線・粒子線・霧・蒸気・水・氷・雪・雲・泡・海水の何れかを使用し画像情報処理表示する平面画像処理装置、眼鏡類、双眼鏡、望遠鏡、顕微鏡、拡大鏡、カメラ、ビデオカメラ、テレビジョンカメラ、航空撮影用カメラ、医療用カメラ、業務用カメラ、映画撮影用カメラ、映写機、投影機、映画用画像処理加工装置、映画装置、映画館、映画施設、ドーム型映画施設、スクリーン、モニターテレビ、ビデオモニターテレビ、ポータブルビデオモニターテレビ、ポケットテレビジョン、テレビジョン一体型ビデオテープレコーダー、シートテレビジョン、テレビジョン電話、カーテレビジョン、カーナビゲーションシステム、壁掛けテレビジョン、白黒テレビジョン、カラーテレビジョン、液晶テレビジョン、発光ダイオードディスプレイ、家庭用テレビジョン、医療用テレビジョン、無線・大気圏波放送テレビジョン、文字放送、文字放送テレビジョン、ファクシミリ放送、ファクシミリ放送テレビジョン、データ放送、データ放送テレビジョン、有線放送テレビジョン、キャプテンシステム放送、キャプテンシステムテレビジョン、パーソナルコンピューター通信網、パーソナルコンピューター通信テレビジョン、衛星放送、衛星放送テレビジョン、ハイビジョン放送テレビジョン、光ファィバー通信網放送テレビジョン、マルチメディアテレビジョン、テレビゲーム機、テレビゲームシステム、テレビジョン会議用システム、防犯・防災用テレビジョン、家庭内情報システム、家庭内情報システムテレビジョン、ファッションショウ・コンサート・イベント・野球場・街頭用各大型電光掲示ディスプレイ、業務用ディスプレイ、上記テレビジョン用ビデオテープレコーダー、上記テレビジョン用ディスクレコーダー、ノートブックパーソナルコンピューター、ラップトップパーソナルコンピューター、複写機、電子システム手帳、ポケットコンピューター、大型コンピューター、画像処理用コンピューター、オシロスコープ、ハンディターミナル、工業用制御システム、ポイントオフセールス端末機、金融端末機、窓口業務用端末機、オーバーハードプロジェクターパネル、業務用測定機器、超音波探傷機、ソナー、超音波診断装置、Ｘ線診断装置、超音波断層装置、医療用計測機、血圧計、電子体温計、パーソナル無線、ファクシミリ、ワークステーション、ワードプロセッサー、インフォメーションディスプレイ、映像通信端末機、携帯情報端末機、ペン入力端末機、オーディオ、ビデオテープレコーダー、電子楽器、調理器具、空調機器、各種リモートコントローラー、時刻表示装置、ネオン灯看板、電飾看板、電光掲示板、その他のディスプレイ装置、その他の工業的平面画像処理装置」が、
挙げられる。
【００３０】
☆『画像立体処理装置』とは、文字から一般的に解釈出来るように「画像」即ち、『画像情報』を「立体」に『処理』変換出来る「装置」である。
【００３１】
本発明では、「平面画像情報」を「立体画像情報」に『処理』出来る技術のみに絞った公開であるから、『画像情報』とはこの場合、「平面画像情報」を指し、「立体」とは、「立体画像情報」を指す。
【００３２】
従って、『画像立体処理装置』とは、＜「平面画像情報」を「立体画像情報」に『処理』変換出来る「装置」＞を指す。
【００３３】
☆『立体画像処理装置』とは、文字から一般的に解釈出来るように「立体画像」即ち、「立体画像情報」を『処理』する「装置」と言うことである。
【００３４】
特に本発明書では、「平面画像情報」を「立体画像情報」に『処理』変換出来る『立体画像情報保持物』と『画像立体処理装置』の技術の開示も行なっているため、
「平面画像情報」を『処理』する『平面画像情報保持物』・『平面画像処理装置』は、『立体画像情報保持物』・『画像立体処理装置』と『繋ぐ』ことにより、「平面画像情報」のみならず、「立体画像情報」をも『処理』するものと成る。
【００３５】
従って、『立体画像処理装置』とは、『平面画像情報保持物』・『平面画像処理装置』を『立体画像情報保持物』・『画像立体処理装置』と「繋いだ装置」を指す。
【００３６】
具体的に述べると、＜『平面画像処理装置』・『平面画像情報保持物』に『画像立体処理装置』を「繋いだ装置」＞と、＜『平面画像処理装置』に『立体画像情報保持物』を「繋いだ装置」＞を指す。
【００３７】
☆『繋ぐ』とは、本発明では、「図４６」や「段落[０２１０]・[０２１１]・[０２１２]・[０２１３]」に記載されている様に、『画像情報』が「繋がる」ことを指す。
【００３８】
☆『立体画像処理装置製造』の『製造』とは、『立体画像処理装置』内の各『繋ぐ』行為により「形成」される。
【００３９】
☆『立体画像処理装置製造方法』の『方法』には、
（１）、『画像立体処理装置』に『平面画像処理装置』・『平面画像情報保持物』を『繋ぐ』『方法』がある。
【００４０】
（２）、『立体画像情報保持物』に『平面画像処理装置』を『繋ぐ』『方法』がある。
【００４１】
（３）、「繋ぐ前」の「平面画像情報」発信源側に、「立体画像情報」を工夫して持たした後、「発信」して「受信」することにより、「繋ぎ」、『立体画像処理装置』を『製造』する『方法』がある。
【００４２】
（４）、「平面画像情報」発信源側と「繋いだ後」の「受信画像処理装置側」の「平面画像処理装置側」に、「立体画像情報」を工夫して持たし『立体画像処理装置』を『製造』する『方法』がある。
【００４３】
☆『受信画像処理装置』とは、文字から一般的に解釈出来るように、「受信画像」、即ち、「受信画像情報」を『処理』する「装置」と言う意味である。
【００４４】
☆『立体画像関連物』とは、立体画像処理映画関連装置、立体画像処理テレビジョン関連装置、立体画像処理写真関連装置、立体画像処理眼鏡関連装置、立体画像処理印刷関連装置、立体画像情報保持写真関連物、立体画像処理記憶関連装置、その他の立体画像処理関連装置、立体処理関連装置、及び、その他の『立体画像情報保持物』を総称して呼称する。
【００４５】
☆『平面画像処理表示装置』とは、文字から一般的に解釈出来るように、『平面画像処理装置』の１部で、「平面画像の処理」の『処理』を「表示の処理」で行なう「装置」を指す。
【００４６】
☆『立体画像処理表示装置』とは、文字から一般的に解釈出来るように、『立体画像処理装置』の１部で、「立体画像の処理」の『処理』を「表示の処理」で行なう「装置」を指す。
【００４７】
☆『画像立体処理眼鏡装置』とは、文字から一般的に解釈出来るように、『画像立体処理装置』の１部で、「画像の立体処理」を「眼鏡の形」で行なう「装置」を指す。
【００４８】
☆『画像立体処理加工装置』とは、文字から一般的に解釈出来るように、『画像立体処理装置』の１部で、「画像の立体処理」の『処理』を「加工の処理」で行なう「装置」を指す。
【００４９】
☆『立体画像情報保持表示印刷物』とは、文字から一般的に解釈出来るように、『立体画像情報保持物』の１部で、「立体画像情報」の「保持」を「表示印刷」で表わしている「物」を指す。
【００５０】
☆『立体画像情報保持回転看板物』とは、文字から一般的に解釈出来るように、『立体画像情報保持物』の１部で、「立体画像情報」の「保持」を「回転看板」で表わしている「物」を指す。
【００５１】
☆『表示観察画像』とは、文字から一般的に解釈出来るように、「表示画像」を「観察した時の観察画像」を指し、表示部に空間位置の差（傾斜）を持たし表示すると「表示した画像」と「観察した時の観察画像」に相違が生まれ、錯覚視が生まれてくる。
【００５２】
【産業上の利用分野】
本発明は、立体画像・立体写真・立体印刷・立体表示・立体記録・立体記録再生・立体記憶・立体記憶再生・立体再生・立体加工・立体出力を必要とする立体画像処理装置、又は、立体画像情報保持物の分野と、平面画像・平面写真・平面印刷・平面表示・平面記録・平面記録再生・平面記憶・平面記憶再生・平面再生・平面加工・平面出力を必要とする平面画像処理装置、又は、平面画像情報保持物の分野の両分野に渡って利用出来、両分野とも立体画像処理、及び、平面画像処理出来るものである。
【００５３】
具体例としては、眼鏡類、望遠鏡類、顕微鏡、業務用カメラ、映画装置、映画施設、モニターテレビ、家庭用テレビジョン、医療用テレビジョン、衛星放送、文字放送、ファクシミリ放送、データ放送、キャプテンシステム放送、パーソナルコンピューター通信網、テレビゲームシステム、テレビジョン電話機、家庭内情報システム、業務用ディスプレイ、各種計測機器の表示装置、時刻表示装置、家庭用、又は、業務用写真、書籍、設計図、映画ソフトウェア、看板、ネオン看板、電光掲示板、立体幾何学、立体化学、銅像、立体サンプル製作、その他の立体画像処理装置、その他の画像立体処理装置、及び、その他の立体画像情報保持物に関するもの。
【００５４】
【従来の技術】
従来の立体画像処理映画関連装置、立体画像処理テレビジョン関連装置、立体画像処理写真関連装置、立体画像処理眼鏡関連装置、立体画像処理印刷関連装置、立体画像情報保持写真関連物、立体画像処理記憶関連装置、その他の立体画像処理関連装置、立体処理関連装置、及び、その他の立体画像情報保持物（但し、以上の該各関連装置、該各関連物を総称して、以下、立体画像関連物と呼称する）は、対象とする立体物を左右の目から観察した時の、両眼視差の方法（殆ど前記方法に基づく）及び、対象とする立体物から得られた光りの波面の干渉縞によるホログラフィの方法により、又、平面画像を立体視出来る方法として、濃度差方式の原理であるプルフリィヒ効果により、及び、振動鏡利用によるバリフォーカルミラー方式で、各々立体感を観察者に与えていた。
【００５５】
両眼視差とは、文献「三次元画像工学」大越孝敬著、によると「注視している物体表面の点からの光は、網膜の中心（中心嵩）に結像する。しかし、注視点以外の点からの光は、＜対応する位置＞に結像せず、両眼像がずれて見える」この網膜上の左右のずれにより、立体感が生まれてくる。
【００５６】
又、ホログラフィとは、辞典「広辞苑」新村出編によると「物体にレーザー光などを当て、そこから得られる光と、もとの光との干渉パターンを感光板に撮影・記録し、これに同様の光を当てて物体の像を立体的に再現する方法」であり、立体感を生むすべての要因である融合による輻輳、両眼視差、焦点調節、単眼運動視差などを満足させる完全な３次元画像が得られる。
【００５７】
又、プルフリィヒ効果とは、人の目は光量により映像伝達速度が変わるため、左目だけに濃いサングラスを掛けた時、左右の目からの脳への伝達スピードに差が生まれ、左右に動いている画像は、両眼視差と同じ様な左右にずれた映像となり立体感が生まれてくる。
【００５８】
又、バリフォーカルミラー方式とは、テレビジョン画面に写し出された画像信号と同期させてフィルム状の反射鏡を振動させて該鏡で反射した振動画像から立体感が生まれてくる。
【００５９】
従って、立体画像関連物（前記但書き参照の事）の工業的技術は、観察者の左右の目に立体物を見た時の両眼視差の方法、及び、同ホログラフィの方法と左右の伝達速度差から生まれるプルフリィヒ効果の方法と振動鏡によるバリフォーカルミラー方式で得られた立体画像関連物を如何に観察者に便利な形で、又、高品質で提供するかに努力してきた。
【００６０】
【発明が解決しようとする課題】
しかしながら、立体画像関連物において、立体物を左右の目から捕らえた左右画像のずれによる両眼視差の方法、及び、立体物の光波面干渉縞から生まれるホログラフィの方法では、大前提として、始めに対象となる立体物が必要となり、プルフリィヒ効果の方法では、左右一方向のみに働きのある画面が必要となり、バリフォーカルミラー方式では振動する鏡が必要となる。
【００６１】
従って、立体画像の主流と成っている両眼視差、ホログラフィの方法では、平面画像関連物は、立体画像処理の対象から外される為、過去、現在、及び、近い将来に渡る膨大な平面画像処理関連分野を切り捨てた所に、立体画像処理関連分野を新たにゼロから築き上げて行かねばならない為、その時間的・空間的・経済的・産業文化遺産的損失は、漠大なものが生まれてくる。又、プルフリィヒ効果の方法では、左右一方向以外の画像は、対象から外され実用的効果が少ない。又、バリフォーカルミラー方式では、鏡の振幅に制限があるため実用的立体感が得られず、又、同立体視の原理を解明していないため他への応用が出来ていない点で実用的効果が少ない。
【００６２】
従って、実用的立体感が得られ、該立体視原理が解明され殆どの立体表示に使われている実用性の高い両眼視差を中心に具体的問題点を挙げる。
【００６３】
イ、家庭用、業務用の平面画像情報保持物が、立体視出来ない。
【００６４】
ロ、立体物が、必ず、必要であるため、対象とする範囲が、未完成の狭い分野である立体画像処理関連装置に限られるため、開発時間・経費を低く押さえつつ完成させ普及して行くことが必要となる。
【００６５】
ハ、映画、テレビジョン、写真撮影時に左目用と右目用の２台の各カメラが必要である。
【００５５】
ニ、立体画像処理眼鏡において、左右補色によるため、自然なカラー画面が得られない。
【００５６】
ホ、現行テレビジョン放送において、放送設備の増設が必要である。
【００６６】
へ、現行テレビジョン放送において、左目用・右目用の２チャンネルの送・受信の確保が必要である。
【００６７】
ト、現行テレビジョン放送において、現行テレビジョンと立体画像処理テレビジョンの互換性が必要である。
【００６８】
チ、立体画像処理テレビジョン用とビデオディスクが必要である。
【００６９】
リ、立体画像処理テレビジョン用専用ソフトウェアが必要である。
【００７０】
ヌ、現行テレビジョン放送受信（１秒間３０駒）の立体画像処理テレビジョンにおいて
（１）、シャッタ付液晶眼鏡左右各時分割表示や左右光学素子付積層エレクトロルミネッセンス素子画面による左右各異方向へ時分割表示（左右分割表示のため、１秒間１５駒に半減する）する装置では、画像のチラツキが目立つ。
【００７１】
（２）、レンティキュラレンズ板では、画像が横に拡大されることにより、空間解像度が半減する。
【００７２】
（３）、バリフォーカルミラー方式では、振幅による画像のブレが生まれる。
【００７３】
以上、現行のテレビジョンと同程度の画像の美しさを得られることが必要である。
【００７４】
ル、立体画像処理映画、立体画像処理テレビジョン、立体画像処理写真の裸眼による立体視において、レンティキュラレンズ板、左右光学素子付積層エレクトロルミネッセンス素子画面による左右各異方向へ時分割表示する装置では、観察者が、左右に首を動かすと、画像の極端な不連続が起こり、視野の範囲が狭められているため、該範囲を広げることが必要である。
【００７５】
ヲ、立体画像処理映画、立体画像処理テレビジョンにおいて、長時間立体視する場合、３０分もすれば目の疲労感が生じてくるため、該疲労感を軽減することが必要である。
【００７６】
ワ、画像ソフトウェア（アクション映像、ニュース映像、風景映像）に応じて立体感を選択できることが必要である。
【００７７】
カ、プルフリィヒ効果の方法では、左右一方向のみ立体視出来、バリフォーカルミラー方式では、振動鏡の振幅幅から生まれる範囲で立体視出来、実用的立体感が得られる両眼視差の方法では、両眼視差のみで立体感を得、又、ホログラフィの方法では、情報量が多いため限られた水平方向における実験的立体視は得られているため、該各立体感を調整し高め屋外の立体画像（風景・動画）において、水平、及び、斜め上から立体視が出来、実用的融合輻輳、同両眼視差、同焦点調節、同単眼運動視差が出来る立体画像処理方法が必要である。
【００７８】
ヨ、立体画像情報保持表示印刷物（左右画像並列、左右画像融合、３Ｄステレオグラム、ランダムパターン）では、視点平行法か視点交差法のいずれか一方でしか立体視出来ない。又、更に立体感を高めることも望まれる。
【００７９】
本発明は、係る事情に着目してなされたもので、その目的とする処は、平面画像処理分野を切り捨てること無く、工業的技術により立体画像処理分野に参入させることが出来る、平面画像情報保持物と平面画像処理装置から立体画像情報保持物、画像を立体処理する装置、及び、立体画像を処理する装置を製造する方法と原理」を提供して、時間的・空間的・経済的・産業文化遺産的漠大な損失を無くすことにある。
【００８０】
【課題を解決するための手段】
図４６のモニターテレビジョンＣ１６０の画面を、観察者の各眼に対応するように、左右各画像を平行法により観察し、観察者の脳内の視神経交差積層体と視中枢で融合している状態の構成を示す「図１」、及び、図４７のカラーモニターテレビＡ２５を、「画像立体処理眼鏡装置３３を掛けて観察している、観察者１」の脳内の視神経交差積層体と視中枢４で、融合している状態の構成を示す「図２」をもちいて説明する。
【００８１】
発明は、上記の目的を達成する為、平面物、立体物、及び、想い描いた画像から得られる「画像の画像情報」から、バリフォーカルミラーと同じ形状を成す場合の「画像の像形状情報の画像情報」を除いた「画像の像形状画像情報種」において、『像形状の一部、多部、若しくは、全部を各々「縦」、若しくは、「横」に各々圧縮した画像の像形状画像情報』、『像形状の一部、多部、若しくは、全部を各々「縦」、若しくは、「横」に各々引き伸ばされた画像の像形状画像情報』、又は、『原寸大の画像の像形状画像情報』、の各それぞれの組み合わせにより「大形像系画像情報」（図１の６；図２の６）と「小形像系画像情報」（図１の５；図２の５）（大形像系画像情報と小形像系画像情報の横の長さの比率は１６７：１００、若しくは、１００：６０までを許容範囲としてもよい）に２分した同種異系同士の情報比較で、大形像系画像情報（図２の６）を、左目用画像処理情報（図２の６）、小形像系画像情報（図２の５）は、右目用画像処理情報（図２の５）として、もしくは、大形像系画像情報（図１の６）を右目用画像処理情報（図１の６）、小形像系画像情報（図１の５）は、左目用画像処理情報（図１の５）とし、画像情報表示、同記録、同記憶、同記録再生、同記憶再生、同再生、同加工、又は、同出力の内１つ以上の画像情報処理を機能出来る画像処理装置、若しくは、該機能出来る画像情報保持物の画像情報として各画像情報処理部内の表示部（図１の６１；図２の６１）から、各々画像情報表示し、観察者（図１の１；図２の１））の脳内の視神経交差積層体と視中枢（図１の４；図２の４）で融合（図１の９；図２の９）させる。《以下、前記大形像系画像情報（図１の６；図２の６）と小形像系画像情報（図１の５；図２の５）の２分した同種異系同士の融合（図１の９；図２の９）を『両形融合』と呼称。》
【００８２】
又は、前記各画像情報処理部内の各表示部同士（図１の画像情報を作り出している図４６のモニターテレビＡ２５とモニターテレビＢ２６同士）を「空間位置に差」を持たし（図４６のモニターテレビＡ２５とモニターテレビＢ２６を各々多方向に傾ける）、「空間位置に差」の有る前記表示部（図４６の２５と２６を写し出している図１の６１）から各々画像情報表示し、観察者（図１の１）の脳内の視神経交差積層体と視中枢（図１の４）で融合（図１の９）させる。
【００８３】
又は、図３と図４と図５の各表示部６１が、同一表示部６１である時の図３、図４、図５と、図９＝図１０の１４５、１４７、１４６の各表示部１４０が同一表示部１４０である図９＝図１０において、該各画像処理情報に「残像による画像融合効果が有効な時間内の時間差」を持たして該大形像系画像情報（図３の６；図９＝図１０の１４５）と小形像系画像情報（図４の５；図９＝図１０の１４７）を交互に各々入れ換えて（図３の６と図４の５との交互の入れ換え；図９＝図１０の１４５と１４７との交互の入れ換え）、画像処理装置、若しくは、画像情報保持物の該各表示部（図３と図４と図５の６１；図９＝図１０の１４０）から、各々時分割表示し、観察者（図５の１）の視神経交差積層体と脳の視中枢（図５の４）で融合（図５の９；図９＝図１０の１４６）させる。
【００８４】
又は、図３、図４、図５、図９＝図１０、図４４、図４５において、前記段落［００８３］の各画像情報処理部内の各表示部同士（図３の６１と図４の６１同士；図９＝図１０の１４５を表示の１４０と図９＝図１０の１４７を表示の１４０同士）に「空間位置の差」を持たし、「空間位置の差」の有る前記各表示部（図３の６１；図４の６１；図４４の１６１、２６１、３６１；図４５の１６１、２６１、３６１）から「残像による画像融合効果が有効な時間内の時間差」を持たして該大形像系画像情報（図３の６；図９＝図１０の１４５）と小形像系画像情報（図４の５；図９＝図１０の１４７）を交互に各々入れ換えて（図３の６と図４の５との交互の入れ換え；図９＝図１０の１４５と１４７との交互の入れ換え）、画像処理装置、若しくは、画像情報保持物の該各表示部（図３の６１；図４の６１；図４４の１６１、２６１、３６１；図４５の１６１、２６１、３６１）から、各々時分割表示し、観察者（図５の１）の視神経交差積層体と脳の視中枢（図５の４）で融合（図５の９；図４４の９Ａ・９Ｃ・９Ｂ；図４５の９Ａ・９Ｃ・９Ｂ）させる。
【００８５】
【作用】
本各方法の内、両形融合による各構成から生じる各作用について図面を参照して１つ１つ分けて説明する。
【００８６】
図４６のモニターテレビＣ１６０の画面を観察者の各眼に対応するように左右各画像を平行法により観察し、観察者の脳内の視神経交差積層体と視中枢で融合している状態の構成を示す「図１」、及び、図４７のカラーモニターテレビＡ２５を、「画像立体処理眼鏡装置３３を掛けて観察している、観察者１」の脳内の視神経交差積層体と視中枢４で、融合している状態の構成を示す「図２」をもちいて説明する。
【００８７】
『像形状の一部、多部、若しくは、全部を各々「縦」、若しくは、「横」に各々圧縮した画像の像形状画像情報』、『像形状の一部、多部、若しくは、全部を各々「縦」、若しくは、「横」に各々引き伸ばされた画像の像形状画像情報』、又は、『原寸大の画像の像形状画像情報』、の各それぞれの組み合わせにより「大形像系画像情報」（図１の６；図２の６）と「小形像系画像情報」（図１の５；図２の５）（大形像系画像情報と小形像系画像情報の横の長さの比率は１６７：１００、若しくは、１００：６０までを許容範囲としてもよい）に２分した同種異系同士の情報比較で、大形像系画像情報（図２の６）を左目用画像処理情報（図２の６）、小形像系画像情報（図２の５）は、右目用画像処理情報（図２の５）として、若しくは、大形像系画像情報（図１の６）を右目用画像処理情報（図１の６）、小形像系画像情報（図１の５）は、左目用画像処理情報（図１の５）とし、画像情報表示、同記録、同記憶、同記録再生、同記憶再生、同再生、同加工、又は、同出力の内１つ以上の画像情報処理を機能出来る画像処理装置、若しくは、該機能出来る画像情報保持物の画像情報として各画像情報処理部内の表示部（図１の６１；図２の６１）から、各々画像情報表示し、観察者（図１の１；図２の１）の脳内の視神経交差積層体と視中枢（図１の４；図２の４）で融合（図１の９；図２の９）させると、大形像系画像情報（図１の６；図２の６）と小形像系画像情報（図１の５；図２の５）の中間大の画像情報である１融合画像（図１の９；図２の９）が認識される。
【００８８】
「１融合画像（図１の９；図２の９）は、立体深度（図１の１０）を生み出し、立体画像として現れ、立体視出来る。」
【００８９】
又は、前記各画像情報処理部内の各表示部同士（図１の画像情報を作り出している図４６のモニターテレビＡ２５とモニターテレビＢ２６同士）を「空間位置に差」を持たし（図４６のモニターテレビＡ２５とモニターテレビＢ２６を各々多方向に傾ける）、「空間位置に差」の有る前記表示部（図４６の２５と２６を写し出している図１の６１）から各々画像情報表示し、観察者（図１の１）の脳内の視神経交差積層体と視中枢（図１の４）で融合（図１の９）させると、大形像系画像情報（図１の６）と小形像系画像情報（図１の５）の中間大の画像情報である１融合画像（図１の９）が認識される。
【００９０】
「１融合画像（図１の９）は、立体深度（図１の１０）を生み出し、立体画像として現れ、立体視出来る。」
【００９１】
又は、図３と図４と図５の各表示部６１が、同一表示部６１である時の図３、図４、図５と、図９＝図１０の１４５、１４７、１４６の各表示部１４０が同一表示部１４０である図９＝図１０において、該各画像処理情報に「残像による画像融合効果が有効な時間内の時間差」を持たして該大形像系画像情報（図３の６；図９＝図１０の１４５）と小形像系画像情報（図４の５；図９＝図１０の１４７）を交互に各々入れ換えて（図３の６と図４の５との交互の入れ換え；図９＝図１０の１４５と１４７との交互の入れ換え）、画像処理装置、若しくは、画像情報保持物の該各表示部（図３と図４と図５の６１；図９＝図１０の１４０）から、各々時分割表示し、観察者（図５の１）の視神経交差積層体と脳の視中枢（図５の４）で融合（図５の９；図９＝図１０の１４６）させると、大形像系画像情報（図５の６；図９＝図１０の１４５）と小形像系画像情報（図５の５；図９＝図１０の１４７）の中間大の画像情報である１融合画像（図５の９；図９＝図１０の１４６）が認識される。
【００９２】
「１融合画像（図５の９；図９＝図１０の１４６）は、立体深度（図５の１０）を生み出し、立体画像として現れ、立体視出来る。」
【００９３】
又は、図３、図４、図５、図９＝図１０、図４４、図４５において、前記段落［００９１］の各画像情報処理部内の各表示部同士（図３の６１と図４の６１同士；図９＝図１０の１４５を表示の１４０と図９＝図１０の１４７を表示の１４０同士）に「空間位置の差」を持たし、「空間位置の差」の有る前記各表示部（図３の６１；図４の６１；図４４の１６１、２６１、３６１；図４５の１６１、２６１、３６１）から「残像による画像融合効果が有効な時間内の時間差」を持たして該大形像系画像情報（図３の６；図９＝図１０の１４５）と小形像系画像情報（図４の５；図９＝図１０の１４７）を交互に各々入れ換えて（図３の６と図４の５との交互の入れ換え；図９＝図１０の１４５と１４７との交互の入れ換え）、画像処理装置、若しくは、画像情報保持物の該各表示部（図３の６１；図４の６１；図４４の１６１、２６１、３６１；図４５の１６１、２６１、３６１）から、各々時分割表示し、観察者（図５の１）の視神経交差積層体と脳の視中枢（図５の４）で融合（図５の９；図４４の９Ａ・９Ｃ・９Ｂ；図４５の９Ａ・９Ｃ・９Ｂ）させると、大形像系画像情報（図５の６；図９＝図１０の１４５）と小形像系画像情報（図５の５；図９＝図１０の１４７）の中間大の画像情報である１融合画像（図５の９；図４４の９Ａ・９Ｃ・９Ｂ；図４５の９Ａ・９Ｃ・９Ｂ）が認識される。
【００９４】
「１融合画像（図５の９；図４４の９Ａ・９Ｃ・９Ｂ；図４５の９Ａ・９Ｃ・９Ｂ）は、立体深度（図５の１０）を生み出し、立体画像として現れ、立体視出来る。」
【００９５】
次に、図４４において、融合画像９Ｃと同一形状の融合画像となる様９Ａと９Ｂが錯覚視され観察出来る様に融合画像を線対称回転表示すると、「ブレの少ない融合画像」を得ることが出来る。又、「図４０、４１、４２、４３」の表示部２６１、３６１、４６１、５６１の様に表示部を増やし多重融合を起こすと焦点移動を備えた融合画像が得られ、又、図４５において、前記の線対称を点対称回転表示し、前記同様表示部を増やすと更に「自然な立体感を持つ融合画像」を得ることが出来ることになる。
【００９６】
前記段落［００９５］の「ブレの少ない融合画像」・「自然な立体感を持つ融合画像」は、融合輻輳、両形融合（両眼視差に極めて近い働き）、単眼運動視差（画像の方が前後に移動する）、焦点移動（焦点調節に極めて近い働き）を備え、ホログラフィー画像（融合輻輳、両眼視差、単眼運動視差、焦点調節が出来る）に似、しかも物理的制約が少ない（観察者の体外に表示するか、同体内に表示するかの本質的違い）為、動画・風景画に対応出来、実用的範囲内の理想的画像が得られることになる。
【００９７】
又、図１、３、４、５において、該大・小形像系画像情報の各画像情報の差異、大形像系画像情報２１と小形像系画像情報２２の差異を増やして行けば、該観察者１の相対的立体感の深度１０も増えることになる。同じく、前記差異（大形像系画像情報２１と小形像系画像情報２２の差異）を減らして行けば、該観察者１の相対的立体感の深度１０は、減ることになる。そして、前記差異（大形像系画像情報２１と小形像系画像情報２２の差異）をゼロにすれば立体感は無くなり、立体画像表示面を平面画像表示面に変更することが出来ることになる。
【００９８】
【実施例】
両形融合の方法により平面画像、平面画像処理装置から立体画像情報保持物、立体画像処理装置、画像立体処理装置を製造出来ることを実証する為本構成方法を適用した簡単な実験を、図面を参照して説明する。
【００９９】
図４６において、市販のカラーテレビジョンモニターテレビ、同機種同インチ３台(以下モニターテレビＡ２５、同Ｂ２６、同Ｃ１６０と呼称)、文字放送受信機２９、ビデオテープレコーダー２８Ａ、同２８Ｂ、同２８Ｃ、ビデオカメラ３０、を図４６の様に並べ、モニターテレビＡ２５で現行の字幕入り文字テレビジョン放送を受信し、モニターテレビＢ２６で字幕無し同番組を受信画像表示する。
【０１００】
ビデオテープレコーダー２８Ａ、同２８Ｂ、同２８Ｃ、の各ビデオテープで各自録画する。
【０１０１】
中央に、ビデオカメラ３０の真中央横垂直面から左右４５度づつ傾けた鏡２枚２７（直角に合わせる）を置き、両鏡合わせ垂直線とビデオカメラ３０真中央線を一致させる。
【０１０２】
鏡２７からの左右モニターテレビＡ２５同Ｂ２６の距離を同じにし、画像の大きさを同じにし、モニターテレビＣ１６０に該画像を写し出し、観察者の各眼に対応する様に左右各画像を平行法による観察を行なう。
【０１０３】
次にモニターテレビＡ２５，Ｂ２６の色合い調整摘み・色の濃さ調整摘み・明暗調整摘み・画質調整摘み・映像調整摘みを左右に動かし、左右同じ映像にする。 
【０１０４】
次に、モニターテレビＡ２５のブラウン管上に白黒写真を、モニターテレビＢ２６のブラウン管上に前記白黒写真を横、若しくは、縦に１部、若しくは、全部を引き伸ばした方形状と台形状の各写真を張り、各ブラウン管を多方向に傾け観察した。
【０１０５】
無理なく立体感が得られた比率は、横方向へは１００：１６７、若しくは、１００：６０までが、縦方向へは１００：１１４、若しくは、１００：８８までが立体視の許容範囲として得られた。
【０１０６】
前記横方向が高数値の為、高実用的立体感を得ることが出来た。
【０１０７】
又、該高数値は人の目が左右横に並んでいる為と、視神経交差部の積層体が図１４の様な構造で画像情報交換し１融合面で総和し立体感受している為と推測される。
【０１０８】
次に、前記白黒写真での実験で得られたビデオテープをビデオテープレコーダー２８Ｃで再生しモニターテレビＣ１６０の表示面へ写し出し、該画像を市販の静止画像有線電送する静止画像テレビ電話で写し１００キロ離れた同テレビ電話で同様に観察し立体視出来た。
【０１０９】
次に、図４８の両形融合方法の内左右大・小の画像の像形状情報の差異により、写真、若しくは、印刷物の大・小形像系画像情報４１、４２を交互に張り、左右１対で一レンティキュラレンズ４５に対応した立体画像表示写真原理、印刷物、若しくは、レンティキュラレンズ板４４の実験において、観察者１が、左右に首を動かして、図４８のＡ点から同図のＢ点へ移動した時、又は、レンティキュラレンズ板４４、若しくは、該レンズ下の画像全体（大・小形像系画像情報４１、４２を交互に張ったもの）を１画像分左右にずらした時、各々左右の大・小形像系画像情報４１、４２が、左右逆転（４１から４２へ、４２から４１へ移行）すると、一瞬の目まいはあるが、画像の飛びによる極端な画像の不連続は、起こらなかった。
【０１１０】
図５５、５６において、従来の両眼視差の方法では、図５５の虚像５３を立体視している状況から、観察者１が、首を左右に動かし左右の画像５１、５２が左右逆転（左目用画像５１から右目用画像５２へ、右目用画像５２から左目用画像５１へ）、した状況を示す図５６へ移行した時、観察者１が見ている虚像が、虚像５３から虚像５４へと極端に移動、変形し、同じ位置、同じ形状の虚像５３を結ぶ事が出来ないため、画像の極端な不連続が、起こっていた。
【０１１１】
従って、視野範囲が狭められていたが、本融合方法では、左右の逆転が起こった状況を示す図２において、図１と同じ位置、同じ形状の融合画像９を、結ぶ事が出来るため、極端な立体画像の不連続は起こらず、視野範囲が従来より広がったと言える。
【０１１２】
又、図１、２において、前記観察者１が生理的目の疲れを感じた時、自発的に、左右に首を動かすことにより、若しくは、レンティキュラ板、該画像全体を各々１画像分ずらすことにより左右の目の働きである「小形像系画像情報から大形像系画像情報への移行運動６７」と、「大形像系画像情報から小形像系画像情報への移行運動６８」において、左右の逆転（「小形像系から大形像系への移行運動６７」から「大形像系画像情報から小形像系画像情報への移行運動６８」へ、「大形像系画像情報から小形像系画像情報への移行運動６８」から「小形像系画像情報から大形像系画像情報への移行運動６７」へ、）が起こり、片目の働きにおいては、逆方向による目の働きが生まれて、その結果、目の疲労の軽減が行なわれるため、従来の両眼視差による立体画像表示方法では、３０分位で疲れを感じたものを長く維持出来る様になった。
【０１１３】
次に、図４７において両形融合方法の「画像の像形状情報」の差異による立体画像製造法を適用した、簡単な画像立体処理眼鏡装置３３をシリンドリカルレンズ凸３１、３５、同レンズ凹３２、３４で図４７の様に構成しモニターテレビＡ２５の平面画像を、観察すると、観察者１の左目２に左右横に引き伸ばされた大形像系画像情報が見え、右目３に左右横が圧縮された小形像系画像情報が見え立体視出来た。
【０１１４】
又、他の立体物を観察すると肉眼のみの両眼視差観察時よりも数段も立体感が増して観察出来た。従来の補色による立体眼鏡では、自然色は得られ無かった。
【０１１５】
又、従来の両眼視差に本融合方法を加えると更に立体感が増したと言える。
【０１１６】
次に、表示部面、及び、脳内虚像空間内の「画像の像形状情報」の差異により、印刷物を使用して立体画像を製造した実験Ａ，Ｂ，Ｃ，Ｄについて述べる。
【０１１７】
実験Ａ；
縦３ｃｍ横６ｃｍの白色紙の上に、縦横各３ｃｍの人物画像を印刷した画像を基本像形状写真画像とし、これを小形像系画像情報とし、前記縦横各３ｃｍの人物画像を横に１．３５倍と同横に１．３５倍・縦１．１０倍引き伸ばした２枚の各人物画像を各々大形像系画像情報とした。
【０１１８】
（１）中央左側に大形像系画像情報用人物画像を同じく右側に小形像系画像情報用人物画像を印刷し視点平行法と視点交差法の両方法を用いて、観察比較した。
【０１１９】
（２）前記（１）の左右を入れ換えて再印刷し観察比較した。
【０１２０】
（３）中央左右写真合わせ線を持ち上げ、又は、持ち下げ、各水平面より４５度の傾斜角度を付け観察比較した。
【０１２１】
（４）前記（１）の写真画像は、水平面と平行に置き斜め４５度各左右、及び、各上下から各々観察比較した。
【０１２２】
実験Ｂ；
縦横各３ｃｍの人物画像を印刷した同一画像の２枚の写真画像を水平面に左右並列に置いた。
【０１２３】
（１）図４７の実験で使用した両形融合用画像立体処理眼鏡装置３３を観察者が掛け、（左目に左側写真、右目に右側写真が見えるように観察し、）左側写真を４５度下に傾け、右側の写真を上に４５度傾け該画像立体処理眼鏡装置３３を通して観察した。
【０１２４】
（２）図４７の実験で使用した両形融合用画像立体処理眼鏡装置３３を観察者が掛け、（左目に左側写真、右目に右側写真が見えるように観察し、）左目から見える左側の大形像系用画像写真のみを８ｃｍ上空に持ち上げ水平面より３５ｃｍ真上上空から同該観察した。
【０１２５】
実験Ｃ；
縦横各３ｃｍの人物画像を画像縦中心線より左横斜め４５度から撮影した写真と該画像縦中心線より右横斜め４５度から撮影した２枚の写真を水平面に左右並列に置いた。
【０１２６】
(１)左右画像を各々４５度づつ逆に回転し、左右観察される人物画像を一致させ、前記両形融合用画像立体処理眼鏡装置３３を観察者が掛け、左目に左側写真、右目に右側写真が見えるように観察した。
【０１２７】
（２）前記（１）の上に、右側写真を３０度手前に傾け、左側写真を３０度後ろへ傾け観察した。
【０１２８】
（３）前記（２）の上に、各々全体を前後させながら観察した。
【０１２９】
実験Ｄ；
縦横各３ｃｍの人物画像を画像縦中心線より左横斜め４５度かつ上斜め４５度から撮影した写真と該画像縦中心線より右横斜め４５度かつ上斜め４５度から撮影した２枚の写真を水平面に左右並列に置いた。
【０１３０】
（１）左右画像を左右と下へ各々４５度づつ逆に傾け、左右観察される人物画像を一致させ、前記両形融合用画像立体処理眼鏡装置３３を観察者が掛け、左目に左側写真、右目に右側写真が見えるように観察した。
【０１３１】
（２）前記（１）の上に、右側写真を３０度手前に傾け、左側写真を３０度後ろへ傾け観察した。
【０１３２】
（３）前記（２）の上に、各々全体を前後させながら観察した。
【０１３３】
実験Ａ・Ｂ・Ｃ・Ｄとも鮮やかな自然色、若しくは、中間の大きさの立体人物画像が表示面、若しくは、脳内虚像空間内に浮かび上がった。
【０１３４】
又、各４５度の傾斜角から観察した時が（両眼視差に似た左右の差異が働いている為）焦点移動も出来、最も自然で高い立体感が得られた。
【０１３５】
実験Eの時は、自然な立体感が更に顕著に現れた。
【０１３６】
又、同じ４５度傾斜角で得られた画像でも中央部分が谷の時と山の時では、両サイドの広がり感と中央の突出感の違いが各々得られた。
【０１３７】
又、融合画像製造機能と注視点、及び、焦点機能は、各々独立して働き且つ各々相互に連係して立体認識の相互確認をしている事も解り、各々立体視実験出来た。
【０１３８】
次に、「残像による画像融合効果が有効な時間内の時間差」を持たして時分割表示し、両形融合により融合画像を製造した簡単な実験を説明すると、基本となる白黒人物写真（縦３ｃｍ，横６ｃｍ）を使用し、該基本写真に像形のボケを加えた写真をＫ（全体形状は、縦３ｃｍ横６ｃｍ）、同横に１．３５倍引き伸ばした写真をＫＹ（全体形状は、縦３ｃｍ横６ｃｍ）、同横１．３５倍・縦１．１０倍した写真をＫＹＴ（全体形状は、縦３ｃｍ横６ｃｍ）と呼称し、各実験した。
【０１３９】
実験Ｅ；
(１)長方形（縦３ｃｍ横２０ｃｍ）の白色紙右端に、該写真Ｋ、ＫＹに１枚に１つ印刷し各１５枚づつ計３０枚作成し、各１枚づつを交互に重ね、束ねた計３０枚の左綴じの本とし右端に蝋を塗り滑りやすくし、本を親指で滑らして捲る様に該本を滑らしながら捲って観察実験した。
【０１４０】
（２）前記（１）の実験を、両形融合用画像立体処理眼鏡装置３３を通じて観察した。
【０１４１】
実験Ｆ；
長さ３０ｃｍ直径が５ｍｍの木製の角棒に、中央部のみ長さ３ｃｍ直径１ｍｍの金属製の角棒と成る様に取り付けた該中央部に、
（１）縦３ｃｍ横５ｃｍである２枚の各板の表面に各１枚写真ＫとＫＹを張り外から各写真が見える様に該各板の裏面同士で該１ｍｍの角棒を挟み固定し左右各往復４５度６０度９０度１２０度１５０度１８０度高速・低速反転し観察した。
【０１４２】
（２）図３５の様に該写真板（Ｋ、ＫＹ）に同じ写真板（Ｋ、ＫＹ）を該写真と中央で縦に直角に交差させて取り付けた十字形回転板でも前記(1)の様に観察実験した。
【０１４３】
（３）前記実験Dで使用した写真に写真K、ＫＹと同じ比率で画像の像形状の差を加えた写真（以下、ＤＫ、ＤＫＹと呼称）と取り換え更に前記同様の実験を行ない、左右と中央の３点から観察した。
【０１４４】
（４）図３６のように前記実験Eで使用した写真を前記同様の比率で画像の像形状差を加えた写真（以下、ＥＫ、ＥＫＹと呼称）を９０度点対称に成る様に該１mm金属棒の一点で中心点交差固定し、９０度往復回転させ、２０度左右と中央の３方向から観察した。
【０１４５】
（５）前記実験（１）〜（４）の実験を、両形融合用画像立体処理眼鏡装置３３を通じて観察した。
【０１４６】
各実験とも微細に振動する幻灯機の様な立体視が出来た。
【０１４７】
又、実験Ｅでは、１秒間１５駒では、各融合が起こりにくく、１秒間約３０駒以上から充分な立体融合画像が得られ始めた。
【０１４８】
又、実験Ｅでは、３種類の写真からなる各組合わせの循環をＫ→ＫＹ→ＫＹＴ→ＫＹ→Ｋ→の各組合わせ循環の時が、最も自然で最も立体感のある画像が得られた。
【０１４９】
又、片目のみで観察しても両目程では無いが明らかに立体感のある立体視が出来た。
【０１３８】
又、画像立体処理眼鏡装置33を使用した実験Iでは、多方の水平方向から1枚の立体的な平面表示画像が存在している様に観察出来た。
【０１５０】
又、画像のブレが少ない為、空間に半透明で出来た銅像の人物像が存在している様な錯覚と焦点移動が出来る最も自然な厚みを持つ理想的立体画像を得ることが出来た。
【０１５１】
以上のことから、平面画像情報から平面画像情報発信源側に時分割表示により両形融合を起こす工夫をして立体画像、立体画像処理装置を造り出す方法と、受信画像処理装置側での平面画像処理装置側に時分割表示により両形融合させる工夫をして表示することにより立体画像、立体画像処理装置を造り出す方法が考えられる。
【０１５２】
映画においては、情報発送源である映画フィルムが1秒間２４駒の場合フィルム1本を画像処理により大形像系画像情報用画像フィルムと小形像系画像情報用画像フィルムの2本に分け各々一駒づつ交互に繋ぎ合わせ焼増しして1本のフィルムとし既存の映画投影装置で２倍速度で映写すれば、広域視野で裸眼によるチラツキ・色と空間解像低下（大形像系画像情報用画像で拡大した分空間解像度は低下するが小形像系画像情報用画像で圧縮する為、同解像度が高まり、融合すると高低が無くなる）の無い立体映像が見えることになる。
【０１５３】
又は、該１本を２本のフィルムに分け、２台の投影機で等倍速度で同時にレンティキュラレンズシート使用のスクリーンに投射すると、広域視野で裸眼によるチラツキ・色と空間解像低下（大形像系画像情報用画像で拡大した分空間解像度は低下するが小形像系画像情報用画像で圧縮する為、同解像度が高まり、融合すると高低が無くなる）の無い立体映像が見えることになる。
【０１５４】
受信画像処理装置側での平面画像処理装置側の工夫としては、図４９において説明すると、画像立体処理装置の画像加工部において、奇数駒の映画フィルムを通過した画像光７１は、シリンドリカルレンズ凸７２・凹７３透過後、横方向拡大の大形像系画像情報用映像に変えられスクリーン７４へ投影される。
【０１５５】
一方次時点における次ぎの偶数駒映画フィルムを透過した画像光７５は、偶数駒時閉鎖対応鏡付シャッター７６で鏡７８筒形凸面鏡７９に反射され、該凸面鏡で横が圧縮された小形像系画像情報用映像に加工され屈折率調整ガラス８０により縦に大形像系画像情報用映像と同じ屈折方向に修正され鏡７７に反射後スクリーン７４へ投影される。
【０１５６】
又、前記鏡付シャッター７６は、ハーフミラーと交換し、別からなる２つの液晶シャッター同士の連動で偶数・奇数駒の画像光路調整をすることも出来る。
【０１５７】
又、出射光口を３つとして３面、又は、１面スクリーンに対応出来る。
【０１５８】
該画像立体処理加工装置を既存の映画投影装置に取り付けることにより広域視野で裸眼によるチラツキ・色と空間解像低下の無い立体映画が見えることになる。
【０１５９】
テレビジョンにおいては、情報発信源である放送局にて、テレビジョンカメラで捕らえた光の像を撮像管にて電気の像に変換し電子ビームの走査によって得られた水平走査を大形像系画像情報用画像走査と小形像系画像情報用画像走査の電気信号加減処理を加え、これに大形像系・小形像系画像情報用画像処理済み電気信号の同期信号と帰線消去信号を各加え増幅して送信機により発信する。
【０１６０】
又は、テレビジョンカメラの前に前記図４９の光学装置と同じ構成の画像立体処理加工装置を取り付け通常の方法で撮像し発信すると該電波を受信した既存の平面テレビジョンで、広域視野で裸眼によるチラツキ・色と空間解像低下の無い立体画像が見えることになる。
【０１６１】
受信画像処理装置側での平面画像処理装置側の工夫では、電子ビームの水平走査に引き伸ばし・圧縮の長短の偏光を繰り返し作動させ、時間差で大形像系・小形像系画像情報用画像を表示させるため、同期信号から水平同期信号及び垂直同期信号を分離調整する回路と１駒で２回単位の水平走査を大形像系画像情報用水平画像駒走査と小形像系画像情報用水平画像駒走査、に対応させ計２駒分４回単位の水平走査を１作動として繰り返す水平走査信号交換機と走査周波数に同期させる同期処理を行なう信号変換機を附加することにより、広域視野で裸眼によるチラツキ・色と空間解像低下の無い立体画像が見えることになる。
【０１６２】
文字・数字・記号・符号・模様の処理装置表示部における表示では、表示文字・表示数字・表示記号・表示符号・表示模様（但し、本説明では「画像」の範囲には、視覚出来る物、全てが入る為文字、数字、記号、符号、模様も含まれている、しかし、新概念を説明するため一部突出させ説明する。)も、影や斜視図などの立体図法表現を加えると表現した部分のみが他より飛び出し立体視出来るため、該表示面を電気、電子、放電、電圧、電磁、粒子、映像、及び、画像の各信号を大形像系・小形像系画像情報用画像処理し時分割表示することで、広域視野で裸眼によるチラツキ・色と空間解像低下のない立体画像が見えることになる。
【０１６３】
その他の立体画像処理装置においては、ネオン看板では、大形像系画像情報用画像表示ネオン管と小形像系画像情報用画像表示ネオン管を同一表示看板面に取り付け、大形像系・小形像系画像情報用画像を交互に時分割表示することで、広域視野で裸眼によるチラツキ・色と空間解像低下のない立体画像が見えることになる。
【０１６４】
又、前記ネオン看板に、大形像系・小形像系用画像情報画像の一方のみの放電発光と組み合わせることにより、立体・平面を瞬時に繰り返している為、他のネオン看板よりも良く目立つネオン看板が見えることになる。
【０１６５】
又、風力を利用した立体画像情報保持回転看板物では、前記実験Ｆと同じ様な立体化処理画像を該表示部に画像保持させることにより、風で看板が回転した時、良く目立つ立体画像を得ることが出来る。
【０１６６】
又、前記時分割表示により融合を起こす工夫に加え、高透過性を持つ画像表示部面の配置の工夫が必要なものとしては、映画においては、３面のスクリーンを、液晶を使用した瞬間調光ガラスを使用し図２１の様に配置する。
【０１６７】
１スクリーン面のみ電圧をオフにして白色スクリーン表示面として使用し、他は電圧印加により９５%光を透過させ、各映像１駒単位ごとに１スクリーン面を対応さる。
【０１６８】
３枚のスクリーン面を順番に電圧オフで表示循環させて行く「スクリーンスイッチ切換え処理駆動回路」により、１スクリーン面が回転又は直面的に羽ばたいている様に作動循環表示することにより、時分割表示により融合を起こし、焦点移動も出来る立体画像を得ることが出来る。
【０１６９】
又は、１面のスクリーンを線対称回転、若しくは、点対称回転し（図４４、４５参照）、映像駒表示時ごとに低速又は一時停止し、他の時は高速回転させ投影画像を反射することにより、時分割表示により融合を起こし、焦点移動も出来る立体画像を得ることが出来る。
【０１７０】
又は、３面のスクリーンで三角柱を形成し図３１、３２、３３型を回転で形成し表示面の空間位置の差を作り出した時に、各映像１駒を表示対応する様、一時停止又は低速回転に切換える「回転速度スイッチ切換え処理回路」と、「スイッチ切換え映像駒同期処理出力回路装置」により、時分割表示により融合を起こし、焦点移動も出来る立体画像を得ることが出来る。
【０１７１】
又、レンティキュラレンズシート使用のスクリーンにおいては、図３４の様に反射表示面にレンティキュラ凸レンズシートを張り、スクリーン裏側に該凸レンズと凹凸重ねると完全透明となる同型の凹部を持つレンティキュラ凹レンズシートを張ることにより、後ろからの入射光に指向性を持たせること無く完全透過出光させる事が出来る。
【０１７２】
前記レンズ不使用のスクリーンの各構成を同様に構成出来ることになる。
【０１７３】
又、３スクリーン面の時は、中央座席では３スクリーン面により、左右座席では２スクリーン面により、若しくは、回転１面スクリーンの時は横１８０度方向から、若しくは、回転三角柱面スクリーンでは三方向共３面により各々裸眼による、焦点移動が出来る立体画像を得ることが出来る。
【０１７４】
テレビジョンにおいては、前記瞬間調光ガラスを高透過性を持たせた自発光型エレクトロルミネッセンス素子カラーディスプレイ（エレクトロルミネッセンス発光部を透明な電極と絶縁層で両側から挟み透過性を持たせる）と変更し、１エレクトロルミネッセンス素子ディスプレイ面に、１駒（２飛び越し走査）を対応させ「各駒ごとの映像信号を順番に各エレクトロルミネッセンス素子ディスプレイ面に出力させる処理回路」と、「該処理回路内の駆動回路部分から出力された信号」をスイッチ回路によって各々、「該処理回路からの出力に同期させ接続表示」することにより、時分割表示により融合を起こし、焦点移動も出来る立体画像を得ることが出来る。
【０１７５】
又は、エレクトロルミネッセンス素子・バックライト付液晶などの薄型ディスプレイ２枚を、表示面を外側にして互いに張り合わせ１組２枚とし前記映画同様に回転させ、横３６０度方向（２枚１組の時）から裸眼による該各焦点移動出来る立体画像が観察出来ることになる。
【０１７６】
該ディスプレイ１枚の時（液晶の光源は線及び点対称回転範囲の外に置く）は、（裏表示面が見える時は鏡像画像に切り換えながら）前記映画同様の回転を加えれば、横１８０度方向（１枚の時）から裸眼による該各焦点移動出来る立体画像が観察出来ることになる。
【０１７７】
エレクトロルミネッセンス素子、液晶、ブラウン管の何れか３台により表示面を外に向けた三角柱を形成し、若しくは、レンティキュラレンズシート使用の構成も前記映画と同じ構成にし、前記映画同様の回転表示を行なえば、横３方向（３枚と三角柱の時）、から裸眼による該各焦点移動出来る立体画像が観察出来ることになる。
【０１７８】
又、図４４、４５において、４５度上空からの画像観察は、観察位置の「空間位置の差」の相違から表示画像とのずれＤＥＦが生まれ融合出来なくなる。
【０１７９】
しかし、回転軸、表示画像の表示位置をずらす、若しくは、半ドーム形プリズムレンズの段階的屈折率の差により該画像表示位置をずらす、の各１つ以上の組み合わせにより該表示と観察の両画像同士の差ＤＥＦを無くす事に依り融合する事が出来る。
【０１８０】
特に、単独で前記半ドーム形レンズで行なえば、半球体の左右１８０度前後９０度内方向から立体視出来ることになる。（該球形レンズ使用時において、生活光の球面収斂の熱発生を避ける事が大切）
【０１８１】
１方向のみの焦点移動出来る立体画像を得る簡単な１例を上げると、図５３、５４において２台のブラウン管１１５と１台のエレクトロルミネッセンス素子画面１１６とハーフミラー１１７を使用し、図５３、５４の様に配置し１映像駒単位ごとに１表示面で表示し、次時点の１駒を別の１表示面へ移動表示し、「規則的に循環させる画像表示処理駆動回路」と、「同出力と同期したスイッチ切換え回路」からの接続表示により焦点移動出来る立体画像を得ることが出来る。
【０１８２】
又、単眼立体視が出来るのは、本方法が視神経交差部と視中枢内で行なう視覚であり、単眼球は情報の窓として機能している為と思われる。
【０１８３】
又、眼球運動の疲労感が最も少ないのは両眼均等に同運動が掛かる表示部に空間位置の差を持たし時分割表示する融合である。
【０１８４】
次に、図５０において、両形融合による簡単な１例である画像立体処理眼鏡装置を説明すると、各人の頭部形状に応じて調整出来るクッション入りヘッドバンド１０２、１０３と、普及型眼鏡を掛けて重ねて使用出来る様前に出ているフレーム１０４と前記フレームを上下出来る視覚度調整摘み１０５と、本眼鏡装置を掛けたまま左右の画像を半回転により入れ換える回転用中心点バネ付ネジのバネ収縮力と両サイド弓形凹凸部１０１の３点、若しくは、磁石力を加え安定した１時固定と天地反転が出来るレンズフレーム部分１００と、観察者手前にある画像結像位置変更用である２枚の薄形プリズムの後ろにあるシリンドリカルレンズ凹、凸を左右に動かせる摘み９５と、前記レンズと偏光フィルターを合わせたシリンドリカルレンズ凸凹一体型シート９７との距離間を変更移動出来る調整摘み９６と、横縦からの光を防ぐ遮光カバーフード９８と、該眼鏡内部を光反射の少ない暗黒色系にしたことから成る画像立体処理眼鏡装置である。
【０１８５】
次に、図５１において、時分割による融合方法による画像立体処理眼鏡装置の簡単な１例の構成に付いて説明すると、１時点において上部窓から入光した画像光８１は、屈折率調整プリズム８２を透過し、１時点で電圧オンにより（次１時点では電圧オフにより入光を閉鎖する）透過率９５％の液晶入り瞬間調光ガラス８３を通過後、筒型凸面鏡８４で横方向が圧縮された小形像系画像情報用画像に加工され、４５度以下に傾けたハーフミラー９０を反射後、左右１画像になる様、中央に屈折させるプリズム９１透過後、観察者１の両眼８５に投影される。
【０１８６】
一方、次１時点における画像光８６は、シリンドリカルレンズ凹８７・凸８８通過時点で横方向に拡大された大形像系画像情報用画像に加工され、次１時点で電圧オン（前１時点では電圧オフにより画像光８６は入光せず）により透明となった瞬間調光ガラス８９と４５度以下傾斜のハーフミラー８９とプリズム９０を透過後観察者１の両目８５に投影される。
【０１８７】
１時点と次１時点の残像画像８１と８６が融合され立体視出来ることになる。
【０１８８】
尚、前記眼鏡の内部は、反射の少ない暗黒色仕上げにし、ハーフミラー９０の傾斜角度を４５度以下にすることにより反射率を上げ画像光８６の透過光量を落とすこと無く鏡の効果を得ることも特長としている。
【０１８９】
又、プリズム８２の換わりに小形像系画像情報用画像に加工できるシリンドリカルレンズ８８、８７を取り付け、筒形凸面鏡８４を平面反射鏡に変え使用することも出来る。
【０１９０】
又、図５２において、前記図５１の１時点の画像光８１をＣＣＤ（電荷結合素子）カメラ１２０で撮影し、画像情報処理部１２３で画像処理された画像情報を液晶テレビ１２１と光学レンズ１２２で画像表示することにより、記記図５１同様立体視出来、融合技術範囲を拡大多様化出来る。
【０１９１】
【発明の効果】
以上説明した様に、本発明によれば、平面画像処理分野を立体画像処理分野に参入させることが出来るため、平面画像処理分野を利用することにより、立体画像処理分野を新たにゼロから築き上げて行く時間的・空間的・経済的・産業文化遺産的莫大な損失を無くすことが出来る。
【０１９２】
具体的には、
イ、家庭用、又は、業務用平面画像情報保持物（平面写真、平面写真集、平面航空写真、平面芸術写真集、平面カタログ、平面通販カタログ、平面チラシ、平面パンフレット、平面新聞、平面週刊誌、平面ガイド集、平面カラー図鑑、平面ポスター、平面カレンダー、平面雑誌、平面書籍、平面地図、立体図法平面図面、立体図法平面設計図、平面住宅・ビルディング完成図、平面写真アルバム、平面スライド写真、平面絵本、平面テレビジョンソフトウェア、平面パーソナルコンピューターソフトウェア、平面文字放送ソフトウェア、コンパクトディスク・レーザーディスク・磁気・光磁気の各平面ディスクソフトウェア、平面ビデオテープソフトウェア、平面ディジタルテープソフトウェア、平面映画ソフトウェア、平面テレビゲームソフトウェア、平面映画フィルム、平面マイクロフィルム、平面Ｘ線写真、平面コンパクトディスクリードオンリィーメモリーソフトウェア、平面コンピューターグラフィクスソフトウェア、平面絵画、平面版画、平面挿絵、平面壁画、平面看板、平面回転看板、各種計測機器の平面表示面、家庭用電機・音響機器・通信機器・医療機器・オフィスオートメーション機器・パーソナルオートメイション機器・ファクトリィオートメイション機器・各種端末機の平面表示面、立体図法使用の平面文字・数字・記号・符号・模様、その他の平面画像情報保持物）が、立体視出来る。
【０１９３】
ロ、立体物が無くても、平面画像情報補保持物があれば画像立体処理出来るため、対象とする範囲が平面画像処理装置（紙・鏡・液晶・ガラス・レンズ・プラスチック・フィルム・テープ・放電灯・蛍光管・蛍光体・発光ダイオード・光ファイバー・レーザー光線・エレクトロルミネッセンス・プラズマ・セラミック薄膜・アモルファスシリコン・電気・電圧・電界・電子・電磁波・電波・放電・磁気・熱・紫外線・粒子線・霧・蒸気・水・氷・雪・雲・泡・海水の何れかを使用し画像情報処理表示する平面画像処理装置、眼鏡類、双眼鏡、望遠鏡、顕微鏡、拡大鏡、カメラ、ビデオカメラ、テレビジョンカメラ、航空撮影用カメラ、医療用カメラ、業務用カメラ、映画撮影用カメラ、映写機、投影機、映画用画像処理加工装置、映画装置、映画館、映画施設、ドーム型映画施設、スクリーン、モニターテレビ、ビデオモニターテレビ、ポータブルビデオモニターテレビ、ポケットテレビジョン、テレビジョン一体型ビデオテープレコーダー、シートテレビジョン、テレビジョン電話、カーテレビジョン、カーナビゲーションシステム、壁掛けテレビジョン、白黒テレビジョン、カラーテレビジョン、液晶テレビジョン、発光ダイオードディスプレイ、家庭用テレビジョン、医療用テレビジョン、無線・大気圏波放送テレビジョン、文字放送、文字放送テレビジョン、ファクシミリ放送、ファクシミリ放送テレビジョン、データ放送、データ放送テレビジョン、有線放送テレビジョン、キャプテンシステム放送、キャプテンシステムテレビジョン、パーソナルコンピューター通信網、パーソナルコンピュータ−通信テレビジョン、衛星放送、衛星放送テレビジョン、ハイビジョン放送テレビジョン、光ファィバー通信網放送テレビジョン、マルチメディアテレビジョン、テレビゲーム機、テレビゲームシステム、テレビジョン会議用システム、防犯・防災用テレビジョン、家庭内情報システム、家庭内情報システムテレビジョン、ファッションショウ・コンサート・イベント・野球場・街頭用各大型電光掲示ディスプレイ、業務用ディスプレイ、上記テレビジョン用ビデオテープレコーダー、上記テレビジョン用ディスクレコーダー、ノートブックパーソナルコンピューター、ラップトップパーソナルコンピューター、複写機、電子システム手帳、ポケットコンピューター、大型コンピューター、画像処理用コンピューター、オシロスコープ、ハンディターミナル、工業用制御システム、ポイントオフセールス端末機、金融端末機、窓口業務用端末機、オーバーハードプロジェクターパネル、業務用測定機器、超音波探傷機、ソナー、超音波診断装置、Ｘ線診断装置、超音波断層装置、医療用計測機、血圧計、電子体温計、パーソナル無線、ファクシミリ、ワークステーション、ワードプロセッサー、インフォメーションディスプレイ、映像通信端末機、携帯情報端末機、ペン入力端末機、オーディオ、ビデオテープレコーダー、電子楽器、調理器具、空調機器、各種リモートコントローラー、時刻表示装置、ネオン灯看板、電飾看板、電光掲示板、その他のディスプレイ装置、その他の工業的平面画像処理装置）まで広がり、該各処理装置を少し工夫するだけで、すぐに各種の実用的立体画像情報を得ることが出来る為、経費も安く済む。
【０１９４】
ハ、映画・写真・テレビジョン用の画像撮影時に、左目用と右目用の２台のカメラが不要であり１台で済む。
【０１９５】
ニ、立体画像処理眼鏡装置においては、自然なカラー画像が得られる。
【０１９６】
ホ、現行テレビジョン放送において、放送設備の増設が不要であり経費が掛から無い。
【０１９７】
へ、現行テレビジョン放送において、左目用・右目用の２チャンネルの送・受信の確保が不要であり、１チャンネルの現行の送・受信で済む。
【０１９８】
ト、現行テレビジョン放送において、立体画像の立体感をゼロ、又は、増減出来る為、現行テレビジョンと立体画像処理テレビジョンの互換性が出来る。
【０１９９】
チ、立体画像処理テレビジョン用ビデオデスク、立体画像処理映画用映写機が不要であり、既存のビデオデスク、既存の映写機が使用出来る。
【０２００】
リ、立体画像処理テレビジョン用専用ソフトウェア、立体画像処理映画用専用ソフトウェアが不要であり、既存の各ソフトウェアが、使用出来る。
【０２０１】
ヌ、現行の平面画像処理装置と同程度のチラツキ・色と空間解像低下の無い美しい画像を得られる。
【０２０２】
ル、現行の平面画像処理装置と同じ、広域視野が確保できる為、家族、又は、集団で立体画像が楽しめる。
【０２０３】
ヲ、レンティキュラレンズ板や各左右レンズ付積層エレクトロルミネッセンス素子画面の各異方向時分割処理表示装置使用の裸眼による立体視（例えば、写真、テレビジョン、映画）において、「観察者が、自発的に首を左右に動かし」、若しくは、「表示部面の天地を逆転し」、若しくは、「左右用の各表示部面や各表示画像を各左右入れ換えること」により、目の疲労感を軽減出来る。
【０２０４】
又、表示部面が空間差のある両形融合では、焦点移動も出来るため焦点を長時間固定し続ける「固定視疲労感」を軽減出来る。
【０２０５】
更に、時分割表示による両形融合方法では、立体・平面画像処理表示装置（映画、テレビジョン、各種計測機、電光・液晶時計、ネオン看板、回転看板、電光掲示板）使用の裸眼による立体視において、両眼同時に同方向の運動と、次時点で自動的に両眼同時に同逆方向による疲労感の軽減が計られることと、単眼のみの立体視による他方の目の休息が自発的に出来る。
【０２０６】
又更に、表示部面が空間差のある時分割表示による両形融合方法では、両眼同時に焦点移動（焦点「固定視疲労感」の軽減）が出来、総合的にバランスの取れた片寄りの無い疲労感が得られるため、従来の方法よりも、長い時間立体視出来る。
【０２０７】
ワ、画像ソフトウェア（アクション映像、ニュース映像、風景映像など）に応じた立体感映像を画像処理方法により造り出すことが出来選択出来る。
【０２０８】
カ、表示部面が空間差のある時分割表示による両形融合方法では、ホログラフィ画像（融合輻輳、両眼視差、単眼運動視差、焦点調節が出来る）に近い融合画像（融合輻輳、両眼視差に極めて近い両形融合、画像の方が動く単眼運動視差、焦点移動）が出来、全ての立体物（風景、動画）と平面画像を水平、及び、上空の実用的多方向から立体視出来、高実用・低費用・高普及型の立体画像と思われる。
【０２０９】
ヨ、立体画像情報保持表示印刷物（左右画像並列、左右画像融合、３Ｄステレオグラム、ランダムパターン）では、視点平行法・視点交差法の両方法で立体視出来、又、表示部面が空間差のある両形融合方法では、焦点移動が出来る融合画像を得ることが出来る為、更に立体感を高めることが出来る。
【０２１０】
タ、時分割表示による両形融合方法では、画像情報発信側の工夫で既存の平面画像処理装置で立体画像を得られる為、ファクシミリ放送、データ放送、キャプテンシステム放送、ケーブルテレビジョン放送では、契約加盟の全事業所全家庭で、夏季・冬季のオリンピックを立体視出来、立体画像文化の普及に一瞬にして貢献出来る。
【０２１１】
又、大気圏波無線テレビジョン放送、文字放送では、受信地域の全事業所全家庭全車内で、夏季・冬季のオリンピックを立体視出来、立体画像文化の普及に一瞬にして貢献出来る。
【０２１２】
又、衛星放送、ハイビジョン放送では、国内の受信全事業所全家庭全車内で、夏季・冬季のオリンピックを立体視出来、立体画像文化の普及に一瞬にして貢献出来る。
【０２１３】
又、赤道上空３万６０００キロの円軌道上に均等配置した３個の静止衛星を増幅中継点として衛星中継放送を行ない中継受信すると全世界がマイクロ波でカバー出来、世界各国の全事業所全家庭全車内で、夏季・冬季のオリンピックを立体視出来、立体画像文化の普及に一瞬にして貢献出来る。
【０２１４】
レ、時分割表示による両形融合方法による画像立体処理加工装置を既存のカメラ、既存の投影機の前に取り付けるだけで立体画像を製造出来るため、各事業所各家庭において、私用オリジナルの立体画像が製造出来、又、過去に撮った私用写真・同フィルム・同テープの平面画像も立体視で楽しめ、個人レベルでの立体画像創作文化に貢献出来る。
【０２１５】
ソ、医学、工業用での本方法活用において、Ｘ線写真では、該写真から立体構造を読み取る事に困難を要していたが、本方法により立体把握が容易となる。
【０２１６】
又、医学における人体の断層シミュレーションによる診断も同様に、短時間で高精度の情報分析が出来る点で、医者以外の素人の妊婦でも胎児と立体的対面が出来、より出産の不安を軽減することに貢献出来る。
【０２１７】
又、画面によるリモートコントロールでは、平面画面操作のため熟練しないと困難を要していたが本方法で立体把握が出来るため、直ぐに、又、容易に操作出来る様になる。
【０２１８】
工業用金属超音波探傷機、超音波断層装置、ソナーでは、内部構造、及び、内部乳化液状化状況の把握を容易にすることが出来る点で貢献出来る。
【０２１９】
ツ、超音波レーダー管制システムにおけるレーダー情報の立体把握が出来、情報認識におけるスピード対応、精度向上、高信頼性を上げる事に貢献出来る。
【０２２０】
ネ、本方法利用により自然科学の化学物質、立体化学、分子内の原子の配置を立体的に考察し各種現象を立体的に説明する手段に活用出来る。
【０２２１】
ナ、立体幾何学の空間図形について研究する手段に活用出来る。
【０２２２】
ラ、銅像製作において、初期の立体像把握に活用出来る。
【０２２３】
ム、時分割表示による両形融合方法においては、単眼の方、単眼弱視の方でも立体視出来、立体感を楽しめる福音となる。
【０２２４】
ウ、視神経交差積層部と視中枢における立体視構造の新原理解釈は、医学における視覚治療・視覚強化訓練の新しい方法と向上を開くものと思われる。
【０２２５】
ノ、高齢化社会の在宅生活者増加に伴い、仮想現実感の極めて高い焦点移動可能な両形融合画像を造り出す事により危険の無い在宅での旅行・同医療・同ショッピング・同勤務・同会議・同博物館・同動物園・同植物園・同図書館・同公園・同遊園地・同公演・同コンサート・同ファッションショウ・同相撲・同競技大会・同パレード・同運動会仮想体験が安心して楽しめる家庭内福祉に大いに貢献出来る。
【０２２６】
オ、前項目「ノ」における在宅での仮想現実体験を図書館、病院、療養施設、各種教室、及び、遊戯施設の室内で仮想現実体験出来ることに貢献出来る。
【０２２７】
ク、立体画像による双方向性マルチメディアにおいて、本方法では端末機での高速画像処理活用演出表示を必要とする為、デジタル方式の圧縮からの画像復元再生では、次の立体化該活用演出表示において、更に超高速度画像処理技術の困難な課題を招くことになる。
【０２２８】
従って、圧縮の無いアナログと画像演出が出来るデジタルの両利点を兼ねている方式が本方法の中心となる（歴史公理性から考察しても妥当な結論と思える）。
【０２２９】
該方式であるＭＵＳＥ方式（４分割による高精細度テレビジョン用映像信号圧縮方式）の開発に投資した時間・資本・労力・知的財産を直接活かす事に貢献出来る。
【０２３０】
ヤ、立体双方向性マルチメディアのもたらす社会は、相互理解の習慣が根づき育まれた中庸ある安泰社会と思われる。
【０２３１】
しかし、双方向性マルチメディア、及び、ハイビジョン放送の互換性国際規格範囲は、未だ確定出来ていない。
【０２３２】
本方法の公開により立体のメリットと立体ソフトウェアと互換出来るハードウェアを人の視中枢と多分野に普及している既存のハードウェアとの組み合わせ間に無料で構築出来たことにより世界最大規模の該ハードウェアが既に出現し終えた事になり、該規格範囲確定要因を成す為、該規格範囲確定へ歩を進めることが出来、国際産業発展上膨大な無駄を省けられる点で大きく貢献出来る。
【０２３３】
マ、従来の両眼視差・ホログラフィの方法では、過去の現存しない立体物の立体視はタイムマシンでも無い限り半永久的に不可能であった。
【０２３４】
本方法では、前記立体物が平面画像情報保持物として保存され受け継がれていれば立体視出来るため、「モナ・リザ」の微笑みや「ベンハー」のパノラマ活劇を立体視出来、過去からの広大で膨大な平面遺作を立体視体験するという未踏未体験のエキサイティングな過去への多様なドア群が開け、人類共通の遺産を造られた方々の恩恵に報い、前記偉業の更なる展開に貢献出来る。
【０２３５】
ケ、本各方法の活用により、立体画像情報保持物が国内は元より世界の隅々にまで溢れ、当然の様に日常生活で満喫されていると思われる未来生活と、現実生活との距離を、平面画像情報保持物を活用する事により、３０年〜５０年縮め、時間の無駄を無くす事に貢献出来る。
【０２３６】
以上を挙げ、該実用的効果は大きいと言える。
【 図面の簡単な説明 】
【図１】本発明である両形融合による立体画像製造、立体画像処理装置製造、及び、画像立体処理装置の原理の構成を示し、「左・右画像」である、「大・小形像系画像情報」が、観察者の視中枢内で融合し「融合画像＝立体画像」を作り出している状態を表わしている１説明図。
【図２】前記図１において「左・右画像」である、「大・小形像系画像情報」が各入れ換わった状態の構成を示し、「左・右画像」である、「大・小形像系画像情報」が、観察者の視中枢内で融合し「融合画像＝立体画像」を作り出している状態を表わしている１説明図。
【図３】本発明である上記図１の「大・小形像系画像情報」を時分割表示の方法で融合させる原理の１時点での「大形像系画像情報」の構成を示し、観察者の視中枢内の１時点での「大形像系画像情報」の状態を表わしている１説明図。
【図４】本発明である上記図１の「大・小形像系画像情報」を時分割表示の方法で融合させる原理の次１時点での「小形像系画像情報」の構成を示し、観察者の視中枢内の次１時点での「小形像系画像情報」の状態を表わしている１説明図。
【図５】本発明である上記図１の「大・小形像系画像情報」を時分割表示の方法で融合し、立体画像製造、立体画像処理装置製造、及び、画像立体処理装置の原理の構成を示し、「大・小形像系画像情報」が、観察者の視中枢内で融合し「融合画像＝立体画像」を作り出している状態を表わしている１説明図。
【図６】本発明である両視融合による立体画像製造、立体画像処理装置製造、及び、従来の立体画像関連物の各画像立体化処理装置の原理の構成を示す１説明図。
【図７】本発明である両置融合による立体画像製造、立体画像処理装置製造、及び、従来の立体画像関連物の各画像立体化処理装置の原理の構成を示す１説明図。
【図８】本発明である両斜融合による構成を示す１説明図。
【図９】下記「図１０」の構成を「斜め後ろ」から見た１説明図。 
【図１０】本発明である画像表示部に「空間位置の差」（傾斜）を持たした後、上記図１の「大・小形像系画像情報」を時分割表示の方法で融合する原理の構成を示し、「大・小形像系画像情報」が、観察者の視中枢内で融合し「融合画像＝立体画像」を作り出している状態を表わしている１説明図。
【図１１】本発明である両時傾融合による立体画像製造、立体画像処理装置製造、及び、従来の立体画像関連物の各画像立体化処理装置の原理の構成を示す１説明図。
【図１２】本発明である両時傾融合による立体画像製造、立体画像処理装置製造、及び、従来の立体画像関連物の各画像立体化処理装置の原理の構成を示す１説明図。
【図１３】本発明である両時傾融合による立体画像製造、立体画像処理装置製造、及び、従来の立体画像関連物の各画像立体化処理装置の原理の構成を示す１説明図。
【図１４】本発明である画像表示部同士に「空間位置の差」を持たした後、上記図１の「大・小形像系画像情報」を時分割表示の方法で融合させる原理の構成を示す１説明図。
【図１５】本発明である両空融合、両時空融合の各方法の構成を示す１説明図。
【図１６】本発明である両空融合、両時空融合の各方法の構成を示す１説明図。
【図１７】本発明である両空融合、両時空融合の各方法の構成を示す１説明図。
【図１８】本発明である両空融合、両時空融合の各方法の構成を示す１説明図。
【図１９】本発明である両空融合、両時空融合の各方法の構成を示す１説明図。
【図２０】本発明である両空融合、両時空融合の各方法の構成を示す１説明図。
【図２１】本発明である画像表示部同士に「空間位置の差」を持たした後、上記図１の「大・小形像系画像情報」を時分割表示の方法で融合させる構成を示す１説明図。
【図２２】本発明である両空融合、両時空融合の各方法の構成を示す１説明図。
【図２３】本発明である両空融合、両時空融合の各方法の構成を示す１説明図。
【図２４】本発明である両空融合、両時空融合の各方法の構成を示す１説明図。
【図２５】本発明である両空融合、両時空融合の各方法の構成を示す１説明図。
【図２６】本発明である両空融合、両時空融合の各方法の構成を示す１説明図。
【図２７】本発明である両空融合、両時空融合の各方法の構成を示す１説明図。
【図２８】本発明である両空融合、両時空融合の各方法の構成を示す１説明図。
【図２９】本発明である両空融合、両時空融合の各方法の構成を示す１説明図。
【図３０】本発明である両空融合、両時空融合の各方法の構成を示す１説明図。
【図３１】本発明である画像表示部同士に「空間位置の差」を持たした後、上記図１の「大・小形像系画像情報」を時分割表示の方法で融合させる構成を示す１説明図。
【図３２】本発明である画像表示部同士に「空間位置の差」を持たした後、上記図１の「大・小形像系画像情報」を時分割表示の方法で融合させる構成を示す１説明図。
【図３３】本発明である画像表示部同士に「空間位置の差」を持たした後、上記図１の「大・小形像系画像情報」を時分割表示の方法で融合させる構成を示す１説明図。
【図３４】本発明である画像表示部同士に「空間位置の差」を持たした後、上記図１の「大・小形像系画像情報」を時分割表示の方法で融合させる構成を示す１説明図。
【図３５】本発明である画像表示部同士に「空間位置の差」を持たした後、上記図１の「大・小形像系画像情報」を時分割表示の方法で融合させる構成を示す１説明図。
【図３６】本発明である画像表示部同士に「空間位置の差」を持たした後、上記図１の「大・小形像系画像情報」を時分割表示の方法で融合させる構成を示す１説明図。
【図３７】本発明である両空融合、両時空融合の各方法の構成を示す１説明図。
【図３８】本発明である両空融合、両時空融合の各方法の構成を示す１説明図。
【図３９】本発明である両空融合、両時空融合の各方法の構成を示す１説明図。
【図４０】本発明である画像表示部同士に「空間位置の差」を持たした後、上記図１の「大・小形像系画像情報」を時分割表示の方法で融合する構成を示し、「大・小形像系画像情報」が、観察者の視中枢内で融合し「融合画像＝立体画像」を作り出している状態を表わしている１説明図。
【図４１】本発明である画像表示部同士に「空間位置の差」を持たした後、上記図１の「大・小形像系画像情報」を時分割表示の方法で融合する構成を示し、「大・小形像系画像情報」が、観察者の視中枢内で融合し「融合画像＝立体画像」を作り出している状態を表わしている１説明図。
【図４２】本発明である画像表示部同士に「空間位置の差」を持たした後、上記図１の「大・小形像系画像情報」を時分割表示の方法で融合する構成を示し、「大・小形像系画像情報」が、観察者の視中枢内で融合し「融合画像＝立体画像」を作り出している状態を表わしている１説明図。
【図４３】本発明である画像表示部同士に「空間位置の差」を持たした後、上記図１の「大・小形像系画像情報」を時分割表示の方法で融合する構成を示し、「大・小形像系画像情報」が、観察者の視中枢内で融合し「融合画像＝立体画像」を作り出している状態を表わしている１説明図。
【図４４】本発明である画像表示部同士に「空間位置の差」を持たした後、上記図１の「大・小形像系画像情報」を時分割表示の方法で融合する構成を示し、「大・小形像系画像情報」が、観察者の視中枢内で融合し「融合画像＝立体画像」を作り出している状態を表わしている１説明図。
【図４５】本発明である画像表示部同士に「空間位置の差」を持たした後、上記図１の「大・小形像系画像情報」を時分割表示の方法で融合する構成を示し、「大・小形像系画像情報」が、観察者の視中枢内で融合し「融合画像＝立体画像」を作り出している状態を表わしている１説明図。
【図４６】両形融合の方法による立体画像製造を文字放送受信機、カラーモニターテレビ、ビデオテープレコーダー、ビデオテープ、ビデオカメラ使用により実現した時の実験構成を示す１説明図。
【図４７】両形融合の方法による立体画像製造を画像立体処理眼鏡装置３３使用により実現した時の実験構成を示す１説明図。
【図４８】両形融合の方法による立体画像製造を写真、若しくは、印刷物、及び、レンティキュラレンズ板使用により実現し観察した時の実験構成を示す１説明図。
【図４９】画像表示部同士に「空間位置の差」を持たした後、上記図１の「大・小形像系画像情報」を時分割表示の方法で融合する画像立体処理装置で、加工部製造の１方法の構成を示す説明図。
【図５０】両形融合の方法による画像立体処理眼鏡装置製造の１例の構成を示す斜視図。
【図５１】上記図１の「大・小形像系画像情報」を時分割表示で融合する方法による画像立体処理眼鏡装置製造の１例の構成を示す説明図。
【図５２】上記図１の「大・小形像系画像情報」を時分割表示で融合する方法による画像立体処理眼鏡装置製造の１例の構成を示す説明図。
【図５３】１方向のみからの観察において、画像表示部同士に「空間位置の差」を持たした後、上記図１の「大・小形像系画像情報」を時分割表示で融合する方法による画像立体処理装置の表示部で、各１構成例の説明図。
【図５４】１方向のみからの観察において、画像表示部同士に「空間位置の差」を持たした後、上記図１の「大・小形像系画像情報」を時分割表示で融合する方法による画像立体処理装置の表示部で、各１構成例の説明図。
【図５５】従来の両眼視差による立体視の方法の１構成を示す説明図。
【図５６】前記図５５において、画像が左右入れ換わった時の構成を示す１説明図。
【 符号の説明 】
１・・・・・観察者。
２・・・・・左眼。
３・・・・・右眼。
４・・・・・視神経交差積層体と視中枢。
５・・・・・小形像系画像情報。
６・・・・・大形像系画像情報。
９・・・・・融合画像。
９Ａ・・・・融合画像。
９Ｂ・・・・融合画像。
９Ｃ・・・・融合画像。
９Ｄ・・・・融合画像。
１０・・・・立体深度。
２１・・・・大形像系画像情報。
２２・・・・小形像系画像情報。
２５・・・・カラーモニターテレビＡ。
２６・・・・カラーモニターテレビＢ。
２７・・・・２枚の鏡を直角に合わせたもの。
２８Ａ・・・・ビデオテープレコーダー。
２８Ｂ・・・・ビデオテープレコーダー。
２８Ｃ・・・・ビデオテープレコーダー。
２９・・・・文字放送受信機。
３０・・・・ビデオカメラ。
３１・・・・シリンドリカル凸レンズ。
３２・・・・シリンドリカル凹レンズ。
３３・・・・画像立体処理眼鏡装置。
３４・・・・シリンドリカル凹レンズ。
３５・・・・シリンドリカル凸レンズ。
４１・・・・大形像系画像情報。
４２・・・・小形像系画像情報。
４４・・・・レンティキュラレンズ板。
４５・・・・一レンティキュラレンズ。
５１・・・・右眼視画像。
５２・・・・左眼視画像。
５３・・・・大形像系画像情報。
５４・・・・小形像系画像情報。
５５・・・・融合画像。
６１・・・・画像表示部。
６７・・・・小形像系画像情報から大形像系画像情報への移行運動。
６８・・・・大形像系画像情報から小形像系画像情報への移行運動。
７１・・・・画像光。
７２・・・・シリンドリカル凸レンズ。
７３・・・・シリンドリカル凹レンズ。
７５・・・・画像光。
７６・・・・鏡付シャッター。
７７・・・・鏡。
７８・・・・鏡。
７９・・・・凸面鏡。
８０・・・・屈折率調整プリズム。
８１・・・・画像光。
８２・・・・屈折率調整プリズム。
８３・・・・瞬間調光板。
８４・・・・凸面鏡。
８５・・・・両眼。
８６・・・・画像光。
８７・・・・シリンドリカル凸レンズ。
８８・・・・シリンドリカル凹レンズ。
８９・・・・瞬間調光板。
９０・・・・ハーフミラー。
９１・・・・屈折率調整プリズム。
９５・・・・左右レンズ間移動調整摘み。
９６・・・・前後レンズ間移動調整摘み。
９７・・・・シリンドリカルレンズ凹凸一体シート。
９８・・・・フード。
１００・・・天地反転部。
１０１・・・弓形凹凸接合部。
１０２・・・ヘッドバンド。
１０３・・・ヘッドバンド。
１０４・・・普及型眼鏡用空洞部。
１０５・・・視角度調整摘み。
１１５・・・ブラウン管。
１１６・・・エレクトロルミネッセンス素子画面。
１１７・・・ハーフミラー。
１２０・・・ＣＣＤ（電荷結合素子）カメラ。
１２１・・・液晶画面。
１２２・・・光学レンズ。
１２３・・・画像処理装置。
１４０・・・傾斜表示画像・表示画像。
１４５・・・大形像系感画像情報（表示観察画像）。
１４６・・・融合画像（表示観察画像）。
１４７・・・小形像系感画像情報（表示観察画像）。
１５０・・・表示面表示画像。
１５１・・・大形像系画像情報（表示観察画像）。
１５２・・・小形像系画像情報（表示観察画像）。
１５３・・・融合画像（表示観察画像）。
１５４・・・大形像系画像情報（表示観察画像）。
１５５・・・小形像系画像情報（表示観察画像）。
１５６・・・融合画像（表示観察画像）。
１５７・・・大形像系画像情報１５１と大形像系画像情報１５４との融合画像。
１５８・・・小形像系画像情報１５２と小形像系画像情報１５５との融合画像。
１５９・・・融合画像１５７と融合画像１５８との融合画像。
１６０・・・カラーモニターテレビＣ。
１６１・・・画像表示部。
２６１・・・画像表示部。
３６１・・・画像表示部。
４６１・・・画像表示部。
５６１・・・画像表示部。
Ａ・・・・・左側観察点。
Ｂ・・・・・中央観察点。
Ｃ・・・・・右側観察点。
Ｄ・・・・・観察点Bにおける画像表示部１６１・２６１・３６１上の同形状の 融合画像９Ａ・９Ｃ・９Ｂ上で同一点で重なる３個の任意の点にお
いて、融合画像９Ａ上の点。
Ｅ・・・・・観察点Bにおける画像表示部１６１・２６１・３６１上の同形状の 融合画像９Ａ・９Ｃ・９Ｂ上で同一点で重なる３個の任意の点にお いて、融合画像９Ｃ上の点。
Ｆ・・・・・観察点Bにおける画像表示部１６１・２６１・３６１上の同形状の 融合画像９Ａ・９Ｃ・９Ｂ上で同一点で重なる３個の任意の点にお いて、融合画像９Ｂ上の点。
【図１】
0003564170.tif 000002
【図２】
0003564170.tif 000003
【図３】
0003564170.tif 000004
【図４】
0003564170.tif 000005
【図５】
0003564170.tif 000006
【図６】
0003564170.tif 000007
【図７】
0003564170.tif 000008
【図８】
0003564170.tif 000009
【図９】
0003564170.tif 000010
【図１０】
0003564170.tif 000011
【図１１】
0003564170.tif 000012
【図１２】
0003564170.tif 000013
【図１３】
0003564170.tif 000014
【図１４】
0003564170.tif 000015
【図１５】
0003564170.tif 000016
【図１６】
0003564170.tif 000017
【図１７】
0003564170.tif 000018
【図１８】
0003564170.tif 000019
【図１９】
0003564170.tif 000020
【図２０】
0003564170.tif 000021
【図２１】
0003564170.tif 000022
【図２２】
0003564170.tif 000023
【図２３】
0003564170.tif 000024
【図２４】
0003564170.tif 000025
【図２５】
0003564170.tif 000026
【図２６】
0003564170.tif 000027
【図２７】
0003564170.tif 000028
【図２８】
0003564170.tif 000029
【図２９】
0003564170.tif 000030
【図３０】
0003564170.tif 000031
【図３１】
0003564170.tif 000032
【図３２】
0003564170.tif 000033
【図３３】
0003564170.tif 000034
【図３４】
0003564170.tif 000035
【図３５】
0003564170.tif 000036
【図３６】
0003564170.tif 000037
【図３７】
0003564170.tif 000038
【図３８】
0003564170.tif 000039
【図３９】
0003564170.tif 000040
【図４０】
0003564170.tif 000041
【図４１】
0003564170.tif 000042
【図４２】
0003564170.tif 000043
【図４３】
0003564170.tif 000044
【図４４】
0003564170.tif 000045
【図４５】
0003564170.tif 000046
【図４６】
0003564170.tif 000047
【図４７】
0003564170.tif 000048
【図４８】
0003564170.tif 000049
【図４９】
0003564170.tif 000050
【図５０】
0003564170.tif 000051
【図５１】
0003564170.tif 000052
【図５２】
0003564170.tif 000053
【図５３】
0003564170.tif 000054
【図５４】
0003564170.tif 000055
【図５５】
0003564170.tif 000056
【図５６】
0003564170.tif 000057